(57)【要約】【課題】本発明は土壌検出用の快速の篩い分け装置を開示した。【解決手段】ベースを含み、前記ベースの中には篩い分け収集装置が設置され、前記ベースの上側には三つの交差されるように配置された篩い分けブロックが設置され、前記篩い分けブロックの中には土壌篩い分け装置が設置され、前記土壌篩い分け装置の前後両側の間には篩い分け動力装置が設置され、前記篩い分けブロックの上側には押し潰しブロックが設置され、前記押し潰しブロックの中には取り付けチャンバが設置され、前記取り付けチャンバの中には篩い分けられる土壌を押し潰すことができる押し潰し装置が設置され、本発明の一つの篩い分けブロックの中の土壌篩い分け装置の構造が同じであり、土壌篩い分け装置の内部の篩い分け網のメッシュの大きさによって篩い分け等級を分け、土壌篩い分けの等級と規格とを調節でき、エネルギーを省いて効率的である。【選択図】図１
2020195986.tif 000002
【特許請求の範囲】
【請求項１】
正面視で、ベースを含み、
前記ベースの中には篩い分け収集装置が設置され、前記ベースの上側には三つの交差されるように配置された篩い分けブロックが設置され、前記篩い分けブロックの中には土壌篩い分け装置が設置され、前記土壌篩い分け装置の前後両側の間には篩い分け動力装置が設置され、前記篩い分けブロックの上側には押し潰しブロックが設置され、前記押し潰しブロックの中には取り付けチャンバが設置され、前記取り付けチャンバの中には篩い分けられる土壌を押し潰すことができる押し潰し装置が設置され、前記取り付けチャンバの上側には土壌入り口が外部空間と連通するように設置され、前記取り付けチャンバの後側には動力供給装置が設置され、前記押し潰し装置と前記動力供給装置との間が動力が伝達できるように連結され、
前記ベースの左右端面には伸縮ロッドが固定的に設置され、前記伸縮ロッドの中には伸縮溝が形成されており、前記伸縮溝の中には伸縮スライドロッドがスライドできるように設置され、前記伸縮スライドロッドの下端と前記伸縮溝との間には伸縮ばねが固定的に設置され、前記伸縮スライドロッドの上端が外部空間に伸びており、また前記伸縮スライドロッドの間には固定板が固定的に設置され、前記固定板の下端が前記押し潰しブロックと当接しており、
前記篩い分けブロックが分離でき、また各前記篩い分けブロックの中の前記土壌篩い分け装置が篩い分ける土壌の精度は異なり、所要の篩い分ける精度の等級によって前記篩い分けブロックを前記ベースと前記押し潰しブロックとの間に置き、前記固定板と前記伸縮ロッドとによって前記篩い分けブロックと前記ベースと前記押し潰しブロックとを安定的に連結し、前記動力供給装置が前記土壌篩い分け装置を駆動して作動させることを特徴とする土壌検出用の快速の篩い分け装置。
【請求項２】
前記押し潰しブロックと前記篩い分けブロックとの下端面の中にはいずれも差し込み連結溝が形成されており、前記篩い分けブロックの上端面には前記差し込み連結溝に差し込んで連結された差し込み連結ブロックが固定的に設置されたことを特徴とする請求項１に記載の土壌検出用の快速の篩い分け装置。
【請求項３】
前記篩い分け収集装置は左右対称の収集スライド溝を含み、
前記収集スライド溝が後方に開口しており、前記収集スライド溝の中には収集皿がスライドできるように設置され、前記収集皿の相対した一つの端面にはスライドガイドブロックが固定的に設置され、
前記収集スライド溝の相対した一つの端壁の中にはスライドガイド溝が連通するように形成されており、前記スライドガイドブロックが前記スライドガイド溝の中に伸びており、
左側の前記収集スライド溝には土壌集中溝が外部空間と連通するように形成されており、右側の前記収集スライド溝には土壌出口が外部空間と連通するように設置されたことを特徴とする請求項１に記載の土壌検出用の快速の篩い分け装置。
【請求項４】
前記土壌篩い分け装置は空きチャンバを含み、
前記空きチャンバの中の前後端壁の間にはスプライン軸が回転できるように設置され、前記スプライン軸の前後端が前記篩い分け動力装置と動力が伝達できるように連結され、前記スプライン軸には篩い分け筒がスプラインによって連結され、前記篩い分け筒の右端面には過渡斜め板が固定的に設置され、前記篩い分け筒の中には篩い分けチャンバが設置され、前記篩い分けチャンバの上側と前記空きチャンバとの間には貫通溝が連通するように形成されており、前記篩い分けチャンバの下側と前記空きチャンバとの間には篩い分け網が連通するように設置され、
前記空きチャンバの右側と外部空間との間には収納スライド溝が連通するように形成されており、前記収納スライド溝の中には収納皿がスライドできるように設置され、前記収納皿の左端が前記空きチャンバの中に伸びており、また前記収納皿が前記過渡斜め板の下側位置にあり、前記収納皿の右端面にはガイドブロックが固定的に設置され、前記収納スライド溝の右端壁の中にはガイド溝が連通するように形成されており、前記ガイドブロックが前記ガイド溝の中に伸びており、また前記ガイドブロックが前記ガイド溝とスライドできるように連結され、前記収納スライド溝の前端には磁石が固定的に設置され、前記収納皿の前端が前記磁石と磁力の吸引によって連結され、
前記収納スライド溝の後端壁には密封回転溝が連通するように形成されており、前記密封回転溝の中には密封板が回転できるように設置され、前記密封板と前記密封回転溝の前端壁との間にはトーションばねが固定的に設置されたことを特徴とする請求項１に記載の土壌検出用の快速の篩い分け装置。
【請求項５】
各前記篩い分けブロクの中の前記篩い分け網のメッシュの大きさが異なり、それによって各前記篩い分けブロックの異なる篩い分け等級を決め、前記篩い分けブロックの間が交差されるように連結され、それによって前の前記篩い分けブロックの下端が次の前記篩い分けブロックの前記貫通溝の中に差し込まれ、前記篩い分けチャンバは傾斜状態を呈して設置されたことを特徴とする請求項４に記載の土壌検出用の快速の篩い分け装置。
【請求項６】
前記篩い分け動力装置は前記空きチャンバと連通している前後対称のカム回転チャンバを含み、
前記カム回転チャンバの中にはカムがカム回転軸によって回転できるように設置され、前記カムの上側には第一ベベルギヤが固定的に設置され、前記第一ベベルギヤの左側には第二ベベルギヤが噛み合うように連結され、前記第二ベベルギヤの左端面にはギヤ回転軸が固定的に設置され、前後の前記ギヤ回転軸の間がタイミングベルトによって動力が伝達できるように連結され、前記カムのうち前記空きチャンバに近接している一つの端面にはプッシュ板が当接しており、前記プッシュ板のうち互いに近接している一端と前記カム回転チャンバとの間には圧力ばねが固定的に設置され、前記スプライン軸の前後端がそれぞれ前後の前記カム回転チャンバの中の伸びており、且つ前記プッシュ板と固定的に連結され、
後側の前記カム回転チャンバの下側にはベルトチャンバが連通するように設置され、前記カム回転軸の下端が前記ベルトチャンバの下端壁と回転できるように連結され、前記ベルトチャンバの中の右側にはスプラインスリーブが設置され、前記スプラインスリーブと前記カム回転軸との間がタイミングはめ歯ベルトによって動力が伝達できるように連結され、
前記ベルトチャンバの下側には伝動溝が連通するように形成されており、前記スプラインスリーブの下端が前記伝動溝の中に伸びており、また前記スプラインスリーブの下端が前記カム回転軸の上端とスプラインによって連結されることができることを特徴とする請求項１に記載の土壌検出用の快速の篩い分け装置。
【請求項７】
前記押し潰し装置は前記取り付けチャンバの前後端壁に固定的に設置された固定軸を含み、
前記固定軸には押し潰し筒がスライドできるように取り付けられ、前記押し潰し筒の中には押し潰しチャンバが設置され、
前記押し潰しチャンバの中には押し潰し輪が回転できるように設置され、前記押し潰し輪の軸心のところには押し潰し回転軸が固定的に設置され、前記押し潰し回転軸の前後端には親ネジが固定的に設置され、前側の前記親ネジの前端が前記取り付けチャンバの前端壁と回転できるように連結され、後側の前記親ネジの後端が前記動力供給装置と動力が伝達できるように連結され、前記親ネジと前記押し潰し筒との間がそれぞれネジ山によって連結されたことを特徴とする請求項１に記載の土壌検出用の快速の篩い分け装置。
【請求項８】
前記動力供給装置は前記取り付けチャンバと連通している動力チャンバを含み、
前記親ネジの後端が前記動力チャンバの中に伸びており、また前記親ネジの後端には第三ベベルギヤが固定的に設置され、前記第三ベベルギヤの左側には第四ベベルギヤが噛み合うように連結され、前記第四ベベルギヤの軸心のところにはスピンドルが固定的に設置され、前記動力チャンバの右端壁の中にはモーターが固定的に設置され、前記スピンドルの右端が前記モーターに動力が伝達できるように連結され、
前記動力チャンバの左側には噛み合いチャンバが連通するように設置され、前記スピンドルの左端が前記噛み合いチャンバの中に伸びており、また前記スピンドルの左端には第五ベベルギヤが固定的に設置され、前記第五ベベルギヤの下側には第六ベベルギヤが噛み合うように連結され、前記第六ベベルギヤのうち前記第五ベベルギヤから離れている一つの端面にはスプライン筒が固定的に設置され、
前記噛み合いチャンバの下側には連結溝が連通するように形成されており、前記スプライン筒の下端が前記連結溝の中に伸びており、前記カム回転軸の上端が前記スプライン筒とスプラインによって連結されることができることを特徴とする請求項１に記載の土壌検出用の快速の篩い分け装置。
【請求項９】
前記スプラインスリーブと前記スプライン筒とがいずれも前記カム回転軸とスプラインによって連結されることができることを特徴とする請求項８に記載の土壌検出用の快速の篩い分け装置。
【発明の詳細な説明】
【技術分野】
【０００１】
本発明は環境検出技術分野に関わり、具体的には土壌検出用の快速の篩い分け装置である。
【背景技術】
【０００２】
伝統的な土壌検出用の篩い分け装置の中の篩い分け構造は固定的であり、篩い分けの精度等級は実際のニーズによって篩い分けて調節されることができなく、それによって篩い分け装置の使用範囲は限られ、また、伝統的な篩い分け装置は段階的に篩い分け、篩い分けのステップを増加し、篩い分けの効率が低くなり、また篩い分けた後に手で土壌を分類して集める必要があり、操作が煩雑である。本発明は上記の問題を解決できる装置を開示する。
【先行技術文献】
【特許文献】
【０００３】
【特許文献１】中国特許出願公開第１０６５８３４３５号明細書
【発明の概要】
【発明が解決しようとする課題】
【０００４】
技術問題：伝統的な土壌検出用の篩い分け装置の中の篩い分け構造は固定的であり、篩い分けの精度等級は実際のニーズによって篩い分けて調節されることができなく、それによって篩い分け装置の使用範囲は限られ、篩い分けの効率が低い。
【課題を解決するための手段】
【０００５】
上記の問題を解決するため、本発明は土壌検出用の快速の篩い分け装置を設計し、本発明の土壌検出用の快速の篩い分け装置は、ベースを含み、前記ベースの中には篩い分け収集装置が設置され、前記ベースの上側には三つの交差されるように配置された篩い分けブロックが設置され、前記篩い分けブロックの中には土壌篩い分け装置が設置され、前記土壌篩い分け装置の前後両側の間には篩い分け動力装置が設置され、前記篩い分けブロックの上側には押し潰しブロックが設置され、前記押し潰しブロックの中には取り付けチャンバが設置され、前記取り付けチャンバの中には篩い分けられる土壌を押し潰すことができる押し潰し装置が設置され、前記取り付けチャンバの上側には土壌入り口が外部空間と連通するように設置され、前記取り付けチャンバの後側には動力供給装置が設置され、前記押し潰し装置と前記動力供給装置との間が動力が伝達できるように連結され、前記ベースの左右端面には伸縮ロッドが固定的に設置され、前記伸縮ロッドの中には伸縮溝が形成されており、前記伸縮溝の中には伸縮スライドロッドがスライドできるように設置され、前記伸縮スライドロッドの下端と前記伸縮溝との間には伸縮ばねが固定的に設置され、前記伸縮スライドロッドの上端が外部空間に伸びており、また前記伸縮スライドロッドの間には固定板が固定的に設置され、前記固定板の下端が前記押し潰しブロックと当接しており、前記篩い分けブロックが分離でき、また各前記篩い分けブロックの中の前記土壌篩い分け装置が篩い分ける土壌の精度は異なり、所要の篩い分ける精度の等級によって前記篩い分けブロックを前記ベースと前記押し潰しブロックとの間に置き、前記固定板と前記伸縮ロッドとによって前記篩い分けブロックと前記ベースと前記押し潰しブロックとを安定的に連結し、前記動力供給装置が前記土壌篩い分け装置を駆動して作動させる。
【０００６】
好ましくは、前記押し潰しブロックと前記篩い分けブロックとの下端面の中にはいずれも差し込み連結溝が形成されており、前記篩い分けブロックの上端面には前記差し込み連結溝に差し込んで連結された差し込み連結ブロックが固定的に設置され、前記差し込み連結ブロックが前記差し込み連結溝の中に伸びた時、前記篩い分けブロックの間及び前記篩い分けブロックと前記押し潰しブロックとの間が安定的に連結するようになる。
【０００７】
好ましくは、前記篩い分け収集装置は左右対称の収集スライド溝を含み、前記収集スライド溝が後方に開口しており、前記収集スライド溝の中には収集皿がスライドできるように設置され、前記収集皿の相対した一つの端面にはスライドガイドブロックが固定的に設置され、前記収集スライド溝の相対した一つの端壁の中にはスライドガイド溝が連通するように形成されており、前記スライドガイドブロックが前記スライドガイド溝の中に伸びており、左側の前記収集スライド溝には土壌集中溝が外部空間と連通するように形成されており、右側の前記収集スライド溝には土壌出口が外部空間と連通するように設置され、最後の篩い分けの中の土壌は前記土壌集中溝を通して左側の前記収集皿の中に入って収集され、篩い分けられた後に残った土壌は前記土壌出口を通して右側の前記収集皿の中に入って収集された。
【０００８】
好ましくは、前記土壌篩い分け装置は空きチャンバを含み、前記空きチャンバの中の前後端壁の間にはスプライン軸が回転できるように設置され、前記スプライン軸の前後端が前記篩い分け動力装置と動力が伝達できるように連結され、前記スプライン軸には篩い分け筒がスプラインによって連結され、前記篩い分け筒の右端面には過渡斜め板が固定的に設置され、前記篩い分け筒の中には篩い分けチャンバが設置され、前記篩い分けチャンバの上側と前記空きチャンバとの間には貫通溝が連通するように形成されており、前記篩い分けチャンバの下側と前記空きチャンバとの間には篩い分け網が連通するように設置され、前記空きチャンバの右側と外部空間との間には収納スライド溝が連通するように形成されており、前記収納スライド溝の中には収納皿がスライドできるように設置され、前記収納皿の左端が前記空きチャンバの中に伸びており、また前記収納皿が前記過渡斜め板の下側位置にあり、前記収納皿の右端面にはガイドブロックが固定的に設置され、前記収納スライド溝の右端壁の中にはガイド溝が連通するように形成されており、前記ガイドブロックが前記ガイド溝の中に伸びており、また前記ガイドブロックが前記ガイド溝とスライドできるように連結され、前記収納スライド溝の前端には磁石が固定的に設置され、前記収納皿の前端が前記磁石と磁力の吸引によって連結され、前記収納スライド溝の後端壁には密封回転溝が連通するように形成されており、前記密封回転溝の中には密封板が回転できるように設置され、前記密封板と前記密封回転溝の前端壁との間にはトーションばねが固定的に設置され、前記篩い分け筒は前後に移動して前記篩い分けチャンバの中の土壌を篩い分け、標準に達した土壌粒は前記篩い分け網を通して排出され、また標準に達した土壌粒が前記過渡斜め板によって前記収納皿の中に入って収集され、標準に達しない土壌粒は次の前記篩い分けブロックの中の前記篩い分けチャンバの中に入って再び篩い分けられる。
【０００９】
好ましくは、各前記篩い分けブロクの中の前記篩い分け網のメッシュの大きさが異なり、それによって各前記篩い分けブロックの異なる篩い分け等級を決め、前記篩い分けブロックの間が交差されるように連結され、それによって前の前記篩い分けブロックの下端が次の前記篩い分けブロックの前記貫通溝の中に差し込まれ、前記篩い分けチャンバは傾斜状態を呈して設置され、土壌が詰まる問題を避け、また前記篩い分けブロックの間の連結が安定である。
【００１０】
好ましくは、前記篩い分け動力装置は前記空きチャンバと連通している前後対称のカム回転チャンバを含み、前記カム回転チャンバの中にはカムがカム回転軸によって回転できるように設置され、前記カムの上側には第一ベベルギヤが固定的に設置され、前記第一ベベルギヤの左側には第二ベベルギヤが噛み合うように連結され、前記第二ベベルギヤの左端面にはギヤ回転軸が固定的に設置され、前後の前記ギヤ回転軸の間がタイミングベルトによって動力が伝達できるように連結され、前記カムのうち前記空きチャンバに近接している一つの端面にはプッシュ板が当接しており、前記プッシュ板のうち互いに近接している一端と前記カム回転チャンバとの間には圧力ばねが固定的に設置され、前記スプライン軸の前後端がそれぞれ前後の前記カム回転チャンバの中の伸びており、且つ前記プッシュ板と固定的に連結され、後側の前記カム回転チャンバの下側にはベルトチャンバが連通するように設置され、前記カム回転軸の下端が前記ベルトチャンバの下端壁と回転できるように連結され、前記ベルトチャンバの中の右側にはスプラインスリーブが設置され、前記スプラインスリーブと前記カム回転軸との間がタイミングはめ歯ベルトによって動力が伝達できるように連結され、前記ベルトチャンバの下側には伝動溝が連通するように形成されており、前記スプラインスリーブの下端が前記伝動溝の中に伸びており、また前記スプラインスリーブの下端が前記カム回転軸の上端とスプラインによって連結されることができ、前後の前記カムが回転し、前記プッシュ板によって前記篩い分け筒が前後へ高頻度に移動し、前記篩い分けチャンバの中の土壌を篩い分ける。
【００１１】
好ましくは、前記押し潰し装置は前記取り付けチャンバの前後端壁に固定的に設置された固定軸を含み、前記固定軸には押し潰し筒がスライドできるように取り付けられ、前記押し潰し筒の中には押し潰しチャンバが設置され、前記押し潰しチャンバの中には押し潰し輪が回転できるように設置され、前記押し潰し輪の軸心のところには押し潰し回転軸が固定的に設置され、前記押し潰し回転軸の前後端には親ネジが固定的に設置され、前側の前記親ネジの前端が前記取り付けチャンバの前端壁と回転できるように連結され、後側の前記親ネジの後端が前記動力供給装置と動力が伝達できるように連結され、前記親ネジと前記押し潰し筒との間がそれぞれネジ山によって連結され、前記押し潰し回転軸が回転して前記押し潰し輪を回転連動させて前記押し潰しチャンバの中の土壌を押し潰し、前記親ネジの回転によって前記押し潰し筒が前後に移動し、それによって前記押し潰し輪が土壌を十分に押し潰す。
【００１２】
好ましくは、前記動力供給装置は前記取り付けチャンバと連通している動力チャンバを含み、前記親ネジの後端が前記動力チャンバの中に伸びており、また前記親ネジの後端には第三ベベルギヤが固定的に設置され、前記第三ベベルギヤの左側には第四ベベルギヤが噛み合うように連結され、前記第四ベベルギヤの軸心のところにはスピンドルが固定的に設置され、前記動力チャンバの右端壁の中にはモーターが固定的に設置され、前記スピンドルの右端が前記モーターに動力が伝達できるように連結され、前記動力チャンバの左側には噛み合いチャンバが連通するように設置され、前記スピンドルの左端が前記噛み合いチャンバの中に伸びており、また前記スピンドルの左端には第五ベベルギヤが固定的に設置され、前記第五ベベルギヤの下側には第六ベベルギヤが噛み合うように連結され、前記第六ベベルギヤのうち前記第五ベベルギヤから離れている一つの端面にはスプライン筒が固定的に設置され、前記噛み合いチャンバの下側には連結溝が連通するように形成されており、前記スプライン筒の下端が前記連結溝の中に伸びており、前記カム回転軸の上端が前記スプライン筒とスプラインによって連結されることができ、前記モーターは作動して装置全体の中の前記土壌篩い分け装置を駆動して作動させることができる。
【００１３】
好ましくは、前記スプラインスリーブと前記スプライン筒とがいずれも前記カム回転軸とスプラインによって連結されることができ、それによって前記押し潰しブロックと前記篩い分けブロックとの間及び前記篩い分けブロックの間が動力が伝達できるように安定的に連結されることができる。
【発明の効果】
【００１４】
本発明の有益な効果は：本発明の一つの篩い分けブロックの中の土壌篩い分け装置の構造が同じであり、土壌篩い分け装置の内部の篩い分け網のメッシュの大きさによって篩い分け等級を分け、篩い分けブロックの数の増加と減少とによって、土壌篩い分けの等級と規格とを調節でき、適用範囲は広く、それによって本装置を持つこと又は移動させることが便利であり、また装置にはただ一つのモーターによって各篩い分けブロックを駆動して作動させ、エネルギーを省いて効率的である。
【図面の簡単な説明】
【００１５】
説明しやすいために、本発明を下記の具体的な実施例及び附図をもって詳しく説明する。下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１６】
【図１】図１は本発明の土壌検出用の快速の篩い分け装置の全体構造略図
【図２】図２は図１の「Ａ」の拡大構造略図
【図３】図３は図１の「Ｂ―Ｂ」方向の構造略図
【図４】図４は図２の「Ｃ―Ｃ」方向の構造略図
【図５】図５は図３の「Ｄ―Ｄ」方向の構造略図
【図６】図６は図１の「Ｅ―Ｅ」方向の構造略図
【発明を実施するための形態】
【００１７】
本発明は土壌検出用の快速の篩い分け装置であり、主に土壌検出の中の土壌篩い分けの作業に使われ、以下、本発明の付図を合わせて本発明を更に説明する：
【００１８】
本発明の土壌検出用の快速の篩い分け装置は、ベース１０を含み、前記ベース１０の中には篩い分け収集装置６０１が設置され、前記ベース１０の上側には三つの交差されるように配置された篩い分けブロック４２が設置され、前記篩い分けブロック４２の中には土壌篩い分け装置６０２が設置され、前記土壌篩い分け装置６０２の前後両側の間には篩い分け動力装置６０３が設置され、前記篩い分けブロック４２の上側には押し潰しブロック２３が設置され、前記押し潰しブロック２３の中には取り付けチャンバ２５が設置され、前記取り付けチャンバ２５の中には篩い分けられる土壌を押し潰すことができる押し潰し装置６０４が設置され、前記取り付けチャンバ２５の上側には土壌入り口２４が外部空間と連通するように設置され、前記取り付けチャンバ２５の後側には動力供給装置６０５が設置され、前記押し潰し装置６０４と前記動力供給装置６０５との間が動力が伝達できるように連結され、前記ベース１０の左右端面には伸縮ロッド１８が固定的に設置され、前記伸縮ロッド１８の中には伸縮溝１９が形成されており、前記伸縮溝１９の中には伸縮スライドロッド２１がスライドできるように設置され、前記伸縮スライドロッド２１の下端と前記伸縮溝１９との間には伸縮ばね２０が固定的に設置され、前記伸縮スライドロッド２１の上端が外部空間に伸びており、また前記伸縮スライドロッド２１の間には固定板２２が固定的に設置され、前記固定板２２の下端が前記押し潰しブロック２３と当接しており、前記篩い分けブロック４２が分離でき、また各前記篩い分けブロック４２の中の前記土壌篩い分け装置６０２が篩い分ける土壌の精度は異なり、所要の篩い分ける精度の等級によって前記篩い分けブロック４２を前記ベース１０と前記押し潰しブロック２３との間に置き、前記固定板２２と前記伸縮ロッド１８とによって前記篩い分けブロック４２と前記ベース１０と前記押し潰しブロック２３とを安定的に連結し、前記動力供給装置６０５が前記土壌篩い分け装置６０２を駆動して作動させる。
【００１９】
有益なように、前記押し潰しブロック２３と前記篩い分けブロック４２との下端面の中にはいずれも差し込み連結溝４９が形成されており、前記篩い分けブロック４２の上端面には前記差し込み連結溝４９に差し込んで連結された差し込み連結ブロック５０が固定的に設置され、前記差し込み連結ブロック５０が前記差し込み連結溝４９の中に伸びた時、前記篩い分けブロック４２の間及び前記篩い分けブロック４２と前記押し潰しブロック２３との間が安定的に連結するようになる。
【００２０】
有益なように、前記篩い分け収集装置６０１は左右対称の収集スライド溝１１を含み、前記収集スライド溝１１が後方に開口しており、前記収集スライド溝１１の中には収集皿１２がスライドできるように設置され、前記収集皿１２の相対した一つの端面にはスライドガイドブロック１５が固定的に設置され、前記収集スライド溝１１の相対した一つの端壁の中にはスライドガイド溝１４が連通するように形成されており、前記スライドガイドブロック１５が前記スライドガイド溝１４の中に伸びており、左側の前記収集スライド溝１１には土壌集中溝１６が外部空間と連通するように形成されており、右側の前記収集スライド溝１１には土壌出口１７が外部空間と連通するように設置され、最後の篩い分けの中の土壌は前記土壌集中溝１６を通して左側の前記収集皿１２の中に入って収集され、篩い分けられた後に残った土壌は前記土壌出口１７を通して右側の前記収集皿１２の中に入って収集された。
【００２１】
有益なように、（上から下までの一番目の前記篩い分けブロック４２の中の前記土壌篩い分け装置６０２を例にして説明する）前記土壌篩い分け装置６０２は空きチャンバ４３を含み、前記空きチャンバ４３の中の前後端壁の間にはスプライン軸５１が回転できるように設置され、前記スプライン軸５１の前後端が前記篩い分け動力装置６０３と動力が伝達できるように連結され、前記スプライン軸５１には篩い分け筒４４がスプラインによって連結され、前記篩い分け筒４４の右端面には過渡斜め板４８が固定的に設置され、前記篩い分け筒４４の中には篩い分けチャンバ４５が設置され、前記篩い分けチャンバ４５の上側と前記空きチャンバ４３との間には貫通溝４６が連通するように形成されており、前記篩い分けチャンバ４５の下側と前記空きチャンバ４３との間には篩い分け網４７が連通するように設置され、前記空きチャンバ４３の右側と外部空間との間には収納スライド溝６５が連通するように形成されており、前記収納スライド溝６５の中には収納皿６６がスライドできるように設置され、前記収納皿６６の左端が前記空きチャンバ４３の中に伸びており、また前記収納皿６６が前記過渡斜め板４８の下側位置にあり、前記収納皿６６の右端面にはガイドブロック６９が固定的に設置され、前記収納スライド溝６５の右端壁の中にはガイド溝６８が連通するように形成されており、前記ガイドブロック６９が前記ガイド溝６８の中に伸びており、また前記ガイドブロック６９が前記ガイド溝６８とスライドできるように連結され、前記収納スライド溝６５の前端には磁石７０が固定的に設置され、前記収納皿６６の前端が前記磁石７０と磁力の吸引によって連結され、前記収納スライド溝６５の後端壁には密封回転溝７１が連通するように形成されており、前記密封回転溝７１の中には密封板７２が回転できるように設置され、前記密封板７２と前記密封回転溝７１の前端壁との間にはトーションばね７３が固定的に設置され、前記篩い分け筒４４は前後に移動して前記篩い分けチャンバ４５の中の土壌を篩い分け、標準に達した土壌粒は前記篩い分け網４７を通して排出され、また標準に達した土壌粒が前記過渡斜め板４８によって前記収納皿６６の中に入って収集され、標準に達しない土壌粒は次の前記篩い分けブロック４２の中の前記篩い分けチャンバ４５の中に入って再び篩い分けられる。
【００２２】
有益なように、各前記篩い分けブロク４２の中の前記篩い分け網４７のメッシュの大きさが異なり、それによって各前記篩い分けブロック４２の異なる篩い分け等級を決め、前記篩い分けブロック４２の間が交差されるように連結され、それによって前の前記篩い分けブロック４２の下端が次の前記篩い分けブロック４２の前記貫通溝４６の中に差し込まれ、前記篩い分けチャンバ４５は傾斜状態を呈して設置され、土壌が詰まる問題を避け、また前記篩い分けブロック４２の間の連結が安定である。
【００２３】
有益なように、前記篩い分け動力装置６０３は前記空きチャンバ４３と連通している前後対称のカム回転チャンバ５２を含み、前記カム回転チャンバ５２の中にはカム５５がカム回転軸５６によって回転できるように設置され、前記カム５５の上側には第一ベベルギヤ５７が固定的に設置され、前記第一ベベルギヤ５７の左側には第二ベベルギヤ５８が噛み合うように連結され、前記第二ベベルギヤ５８の左端面にはギヤ回転軸５９が固定的に設置され、前後の前記ギヤ回転軸５９の間がタイミングベルト６０によって動力が伝達できるように連結され、前記カム５５のうち前記空きチャンバ４３に近接している一つの端面にはプッシュ板５３が当接しており、前記プッシュ板５３のうち互いに近接している一端と前記カム回転チャンバ５２との間には圧力ばね５４が固定的に設置され、前記スプライン軸５１の前後端がそれぞれ前後の前記カム回転チャンバ５２の中の伸びており、且つ前記プッシュ板５３と固定的に連結され、後側の前記カム回転チャンバ５２の下側にはベルトチャンバ６２が連通するように設置され、前記カム回転軸５６の下端が前記ベルトチャンバ６２の下端壁と回転できるように連結され、前記ベルトチャンバ６２の中の右側にはスプラインスリーブ６３が設置され、前記スプラインスリーブ６３と前記カム回転軸５６との間がタイミングはめ歯ベルト６１によって動力が伝達できるように連結され、前記ベルトチャンバ６２の下側には伝動溝６４が連通するように形成されており、前記スプラインスリーブ６３の下端が前記伝動溝６４の中に伸びており、また前記スプラインスリーブ６３の下端が前記カム回転軸５６の上端とスプラインによって連結されることができ、前後の前記カム５５が回転し、前記プッシュ板５３によって前記篩い分け筒４４が前後へ高頻度に移動し、前記篩い分けチャンバ４５の中の土壌を篩い分ける。
【００２４】
有益なように、前記押し潰し装置６０４は前記取り付けチャンバ２５の前後端壁に固定的に設置された固定軸２８を含み、前記固定軸２８には押し潰し筒２６がスライドできるように取り付けられ、前記押し潰し筒２６の中には押し潰しチャンバ２７が設置され、前記押し潰しチャンバ２７の中には押し潰し輪３０が回転できるように設置され、前記押し潰し輪３０の軸心のところには押し潰し回転軸２９が固定的に設置され、前記押し潰し回転軸２９の前後端には親ネジ３１が固定的に設置され、前側の前記親ネジ３１の前端が前記取り付けチャンバ２５の前端壁と回転できるように連結され、後側の前記親ネジ３１の後端が前記動力供給装置６０５と動力が伝達できるように連結され、前記親ネジ３１と前記押し潰し筒２６との間がそれぞれネジ山によって連結され、前記押し潰し回転軸２９が回転して前記押し潰し輪３０を回転連動させて前記押し潰しチャンバ２７の中の土壌を押し潰し、前記親ネジ３１の回転によって前記押し潰し筒２６が前後に移動し、それによって前記押し潰し輪３０が土壌を十分に押し潰す。
【００２５】
有益なように、前記動力供給装置６０５は前記取り付けチャンバ２５と連通している動力チャンバ３２を含み、前記親ネジ３１の後端が前記動力チャンバ３２の中に伸びており、また前記親ネジ３１の後端には第三ベベルギヤ３３が固定的に設置され、前記第三ベベルギヤ３３の左側には第四ベベルギヤ３５が噛み合うように連結され、前記第四ベベルギヤ３５の軸心のところにはスピンドル３６が固定的に設置され、前記動力チャンバ３２の右端壁の中にはモーター３４が固定的に設置され、前記スピンドル３６の右端が前記モーター３４に動力が伝達できるように連結され、前記動力チャンバ３２の左側には噛み合いチャンバ３８が連通するように設置され、前記スピンドル３６の左端が前記噛み合いチャンバ３８の中に伸びており、また前記スピンドル３６の左端には第五ベベルギヤ３７が固定的に設置され、前記第五ベベルギヤ３７の下側には第六ベベルギヤ４０が噛み合うように連結され、前記第六ベベルギヤ４０のうち前記第五ベベルギヤ３７から離れている一つの端面にはスプライン筒３９が固定的に設置され、前記噛み合いチャンバ３８の下側には連結溝４１が連通するように形成されており、前記スプライン筒３９の下端が前記連結溝４１の中に伸びており、前記カム回転軸５６の上端が前記スプライン筒３９とスプラインによって連結されることができ、前記モーター３４は作動して装置全体の中の前記土壌篩い分け装置６０２を駆動して作動させることができる。
【００２６】
有益なように、前記スプラインスリーブ６３と前記スプライン筒３９とがいずれも前記カム回転軸５６とスプラインによって連結されることができ、それによって前記押し潰しブロック２３と前記篩い分けブロック４２との間及び前記篩い分けブロック４２の間が動力が伝達できるように安定的に連結されることができる。
【００２７】
以下、図１〜６を合わせて本出願の土壌検出用の快速の篩い分け装置の使用ステップを詳しく説明する：
【００２８】
篩い分けの作業を行うために装置を取り付ける時、需要によって異なる級別の篩い分けブロック４２を選び、篩い分け網４７のメッシュが一番大きい篩い分けブロック４２をベース１０に置き、次の等級の篩い分けブロック４２を現有の篩い分けブロック４２の上側位置に置き、また下側の篩い分けブロック４２の中の差し込み連結ブロック５０が上側の篩い分けブロック４２の中の差し込み連結溝４９の中に伸び、それによって二つの篩い分けブロック４２が安定的に連結され、この時、上側の篩い分けブロック４２の下端が下側の篩い分けブロック４２の中の貫通溝４６の中に伸び、下側の篩い分けブロック４２の中のカム回転軸５６の頂端が上側の篩い分けブロック４２の中のスプラインスリーブ６３とスプラインによって連結され、この時、二つの篩い分けブロック４２の取り付けが完成し、同じの取り付け操作で所要の篩い分けブロック４２を一緒に取り付け、次に、土壌入り口２４から篩い分けられる土壌を押し潰しチャンバ２７の中に詰め、その後、押し潰しブロック２３を一番上側の篩い分けブロック４２の上端に取り付け、伸縮スライドロッド２１と伸縮ロッド１８との間の伸縮作用は固定板２２によって押し潰しブロック２３と篩い分けブロック４２とを安定的に連結でき、この時、固定板２２が土壌入り口２４を密封し、カム回転軸５６がスプライン筒３９とスプラインによって連結された。
【００２９】
土壌を篩い分ける時、モーター３４が作動し、スピンドル３６を駆動して回転させ、それによって親ネジ３１が回転して押し潰し輪３０を回転連動させて土壌を押し潰し、親ネジ３１が回転すると、押し潰し筒２６が前後に移動し、それによって土壌を均等的に全般的に押し潰し、スピンドル３６が回転することによって第六ベベルギヤ４０が回転し、それによってスプライン筒３９がカム回転軸５６を回転連動させ、それによってカム５５が回転し、それによって篩い分け筒４４が前後に移動して土壌を篩い分け、タイミングはめ歯ベルト６１によって全部の篩い分け筒４４が同期且つ高頻度に土壌を篩い分けることができ、篩い分け網４７のメッシュの大きさにマッチする土壌が篩い分け網４７の下側に篩い分けられ、次の篩い分けブロック４２の中の収納皿６６によって収集され、篩い分け網４７のメッシュの大きさにマッチしていない土壌粒が下側の篩い分けチャンバ４５の中に入り、土壌の篩い分け作業を完成するまで再び篩い分けられ、残った土壌は右側の収集皿１２によって収集された。
【００３０】
本発明の有益な効果は：本発明の一つの篩い分けブロックの中の土壌篩い分け装置の構造が同じであり、土壌篩い分け装置の内部の篩い分け網のメッシュの大きさによって篩い分け等級を分け、篩い分けブロックの数の増加と減少とによって、土壌篩い分けの等級と規格とを調節でき、適用範囲は広く、それによって本装置を持つこと又は移動させることが便利であり、また装置にはただ一つのモーターによって各篩い分けブロックを駆動して作動させ、エネルギーを省いて効率的である。
【００３１】
上記の実施例により、当業者は本出願の範囲で作業モードによって各種の変型を行うことができる。
【図１】
2020195986.tif 000003
【図２】
2020195986.tif 000004
【図３】
2020195986.tif 000005
【図４】
2020195986.tif 000006
【図５】
2020195986.tif 000007
【図６】
2020195986.tif 000008
【手続補正書】
【提出日】令和1年12月27日(2019.12.27)
【手続補正１】
【補正対象書類名】特許請求の範囲
【補正対象項目名】全文
【補正方法】変更
【補正の内容】
【特許請求の範囲】
【請求項１】
正面視で、ベースを含み、
前記ベースの中には篩い分け収集装置が設置され、前記ベースの上側には三つの交差されるように配置された篩い分けブロックが設置され、前記篩い分けブロックの中には土壌篩い分け装置が設置され、前記土壌篩い分け装置の前後両側の間には篩い分け動力装置が設置され、前記篩い分けブロックの上側には押し潰しブロックが設置され、前記押し潰しブロックの中には取り付けチャンバが設置され、前記取り付けチャンバの中には篩い分けられる土壌を押し潰すことができる押し潰し装置が設置され、前記取り付けチャンバの上側には土壌入り口が外部空間と連通するように設置され、前記取り付けチャンバの後側には動力供給装置が設置され、前記押し潰し装置と前記動力供給装置との間が動力が伝達できるように連結され、
前記ベースの左右端面には伸縮ロッドが固定的に設置され、前記伸縮ロッドの中には伸縮溝が形成されており、前記伸縮溝の中には伸縮スライドロッドがスライドできるように設置され、前記伸縮スライドロッドの下端と前記伸縮溝との間には伸縮ばねが固定的に設置され、前記伸縮スライドロッドの上端が外部空間に伸びており、また前記伸縮スライドロッドの間には固定板が固定的に設置され、前記固定板の下端が前記押し潰しブロックと当接しており、
前記篩い分けブロックが分離でき、また各前記篩い分けブロックの中の前記土壌篩い分け装置が篩い分ける土壌の精度は異なり、所要の篩い分ける精度の等級によって前記篩い分けブロックを前記ベースと前記押し潰しブロックとの間に置き、前記固定板と前記伸縮ロッドとによって前記篩い分けブロックと前記ベースと前記押し潰しブロックとを安定的に連結し、前記動力供給装置が前記土壌篩い分け装置を駆動して作動させることを特徴とする土壌測定用の快速の篩い分け装置。
【請求項２】
前記押し潰しブロックの下面と前記篩い分けブロックとの下面にはいずれも差し込み連結溝が形成されており、前記篩い分けブロックの上端面には前記差し込み連結溝に差し込んで連結された差し込み連結ブロックが固定的に設置されたことを特徴とする請求項１に記載の土壌測定用の快速の篩い分け装置。
【請求項３】
前記篩い分け収集装置は左右対称の収集スライド溝を含み、
前記収集スライド溝が後方に開口しており、前記収集スライド溝の中には収集皿がスライドできるように設置され、前記収集皿の相対した一つの端面にはスライドガイドブロックが固定的に設置され、
二つの前記収集スライド溝において対向する端壁の中にはスライドガイド溝が前記収集スライド溝と連通になるように形成されており、前記スライドガイドブロックが前記スライドガイド溝の中に伸びており、
左側の前記収集スライド溝には土壌集中溝が外部空間と連通するように形成されており、右側の前記収集スライド溝には土壌出口が外部空間と連通するように設置されたことを特徴とする請求項１に記載の土壌測定用の快速の篩い分け装置。
【請求項４】
前記土壌篩い分け装置は空きチャンバを含み、
前記空きチャンバの中の前後端壁の間にはスプライン軸が回転できるように設置され、前記スプライン軸の前後端が前記篩い分け動力装置と動力が伝達できるように連結され、前記スプライン軸には篩い分け筒がスプラインによって連結され、前記篩い分け筒の右端面には過渡斜め板が固定的に設置され、前記篩い分け筒の中には篩い分けチャンバが設置され、前記篩い分けチャンバの上側と前記空きチャンバとの間には貫通溝が連通するように形成されており、前記篩い分けチャンバの下側と前記空きチャンバとの間には篩い分け網が連通するように設置され、
前記空きチャンバの右側と外部空間との間には収納スライド溝が連通するように形成されており、前記収納スライド溝の中には収納皿がスライドできるように設置され、前記収納皿の左端が前記空きチャンバの中に伸びており、また前記収納皿が前記過渡斜め板の下側位置にあり、前記収納皿の右端面にはガイドブロックが固定的に設置され、前記収納スライド溝の右端壁の中にはガイド溝が連通するように形成されており、前記ガイドブロックが前記ガイド溝の中に伸びており、また前記ガイドブロックが前記ガイド溝とスライドできるように連結され、前記収納スライド溝の前端には磁石が固定的に設置され、前記収納皿の前端が前記磁石と磁力の吸引によって連結され、
前記収納スライド溝の後端壁には密封回転溝が連通するように形成されており、前記密封回転溝の中には密封板が回転できるように設置され、前記密封板と前記密封回転溝の前端壁との間にはトーションばねが固定的に設置されたことを特徴とする請求項１に記載の土壌測定用の快速の篩い分け装置。
【請求項５】
各前記篩い分けブロックの中の前記篩い分け網のメッシュの大きさが異なり、それによって各前記篩い分けブロックの異なる篩い分け等級を決め、前記篩い分けブロックの間が交差されるように連結され、それによって前の前記篩い分けブロックの下端が次の前記篩い分けブロックの前記貫通溝の中に差し込まれ、前記篩い分けチャンバは傾斜状態を呈して設置されたことを特徴とする請求項４に記載の土壌測定用の快速の篩い分け装置。
【請求項６】
前記篩い分け動力装置は前記空きチャンバと連通している前後対称のカム回転チャンバを含み、
前記カム回転チャンバの中にはカムがカム回転軸によって回転できるように設置され、前記カムの上側には第一ベベルギヤが固定的に設置され、前記第一ベベルギヤの左側には第二ベベルギヤが噛み合うように連結され、前記第二ベベルギヤの左端面にはギヤ回転軸が固定的に設置され、前後の前記ギヤ回転軸の間がタイミングベルトによって動力が伝達できるように連結され、前記カムのうち前記空きチャンバに近接している一つの端面にはプッシュ板が当接しており、前記プッシュ板のうち互いに近接している一端と前記カム回転チャンバとの間には圧力ばねが固定的に設置され、前記スプライン軸の前後端がそれぞれ前後の前記カム回転チャンバの中の伸びており、且つ前記プッシュ板と固定的に連結され、
後側の前記カム回転チャンバの下側にはベルトチャンバが連通するように設置され、前記カム回転軸の下端は前記ベルトチャンバの下壁内部に回転可能に取り付けられ、前記ベルトチャンバの中の右側にはスプラインスリーブが設置され、前記スプラインスリーブと前記カム回転軸との間がタイミングはめ歯ベルトによって動力が伝達できるように連結され、
前記ベルトチャンバの下側には伝動溝が連通するように形成されており、前記スプラインスリーブの下端が前記伝動溝の中に伸びており、また前記スプラインスリーブの下端が前記カム回転軸の上端とスプラインによって連結されることができることを特徴とする請求項４に記載の土壌測定用の快速の篩い分け装置。
【請求項７】
前記押し潰し装置は前記取り付けチャンバの前後端壁に固定的に設置された固定軸を含み、
前記固定軸には押し潰し筒がスライドできるように取り付けられ、前記押し潰し筒の中には押し潰しチャンバが設置され、
前記押し潰しチャンバの中には押し潰し輪が回転できるように設置され、前記押し潰し輪の軸心のところには押し潰し回転軸が固定的に設置され、前記押し潰し回転軸の前後端には親ネジが固定的に設置され、前側の前記親ネジの前端が前記取り付けチャンバの前端壁と回転できるように連結され、後側の前記親ネジの後端が前記動力供給装置と動力が伝達できるように連結され、前記親ネジと前記押し潰し筒との間がそれぞれネジ山によって連結されたことを特徴とする請求項１に記載の土壌測定用の快速の篩い分け装置。
【請求項８】
前記動力供給装置は前記取り付けチャンバと連通している動力チャンバを含み、
前記親ネジの後端が前記動力チャンバの中に伸びており、また前記親ネジの後端には第三ベベルギヤが固定的に設置され、前記第三ベベルギヤの左側には第四ベベルギヤが噛み合うように連結され、前記第四ベベルギヤの軸心のところにはスピンドルが固定的に設置され、前記動力チャンバの右端壁の中にはモーターが固定的に設置され、前記スピンドルの右端が前記モーターに動力が伝達できるように連結され、
前記動力チャンバの左側には噛み合いチャンバが連通するように設置され、前記スピンドルの左端が前記噛み合いチャンバの中に伸びており、また前記スピンドルの左端には第五ベベルギヤが固定的に設置され、前記第五ベベルギヤの下側には第六ベベルギヤが噛み合うように連結され、前記第六ベベルギヤのうち前記第五ベベルギヤから離れている一つの端面にはスプライン筒が固定的に設置され、
前記噛み合いチャンバの下側には連結溝が連通するように形成されており、前記スプライン筒の下端が前記連結溝の中に伸びており、前記カム回転軸の上端が前記スプライン筒とスプラインによって連結されることができることを特徴とする請求項１に記載の土壌測定用の快速の篩い分け装置。
【請求項９】
前記スプラインスリーブと前記スプライン筒とがいずれも前記カム回転軸とスプラインによって連結されることができることを特徴とする請求項６に記載の土壌測定用の快速の篩い分け装置。
【手続補正２】
【補正対象書類名】明細書
【補正対象項目名】全文
【補正方法】変更
【補正の内容】
【発明の詳細な説明】
【技術分野】
【０００１】
本発明は環境測定技術分野に関わり、具体的には土壌測定用の快速の篩い分け装置である。
【背景技術】
【０００２】
伝統的な土壌測定用の篩い分け装置の中の篩い分け構造は固定的であり、篩い分けの精度等級は実際のニーズによって篩い分けて調節されることができなく、それによって篩い分け装置の使用範囲は限られ、また、伝統的な篩い分け装置は段階的に篩い分け、篩い分けのステップを増加し、篩い分けの効率が低くなり、また篩い分けた後に手で土壌を分類して集める必要があり、操作が煩雑である。本発明は上記の問題を解決できる装置を開示する。
【先行技術文献】
【特許文献】
【０００３】
【特許文献１】中国特許出願公開第１０６５８３４３５号明細書
【発明の概要】
【発明が解決しようとする課題】
【０００４】
技術問題：伝統的な土壌測定用の篩い分け装置の中の篩い分け構造は固定的であり、篩い分けの精度等級は実際のニーズによって篩い分けて調節されることができなく、それによって篩い分け装置の使用範囲は限られ、篩い分けの効率が低い。
【課題を解決するための手段】
【０００５】
上記の問題を解決するため、本発明は土壌測定用の快速の篩い分け装置を設計し、本発明の土壌測定用の快速の篩い分け装置は、ベースを含み、前記ベースの中には篩い分け収集装置が設置され、前記ベースの上側には三つの交差されるように配置された篩い分けブロックが設置され、前記篩い分けブロックの中には土壌篩い分け装置が設置され、前記土壌篩い分け装置の前後両側の間には篩い分け動力装置が設置され、前記篩い分けブロックの上側には押し潰しブロックが設置され、前記押し潰しブロックの中には取り付けチャンバが設置され、前記取り付けチャンバの中には篩い分けられる土壌を押し潰すことができる押し潰し装置が設置され、前記取り付けチャンバの上側には土壌入り口が外部空間と連通するように設置され、前記取り付けチャンバの後側には動力供給装置が設置され、前記押し潰し装置と前記動力供給装置との間が動力が伝達できるように連結され、前記ベースの左右端面には伸縮ロッドが固定的に設置され、前記伸縮ロッドの中には伸縮溝が形成されており、前記伸縮溝の中には伸縮スライドロッドがスライドできるように設置され、前記伸縮スライドロッドの下端と前記伸縮溝との間には伸縮ばねが固定的に設置され、前記伸縮スライドロッドの上端が外部空間に伸びており、また前記伸縮スライドロッドの間には固定板が固定的に設置され、前記固定板の下端が前記押し潰しブロックと当接しており、前記篩い分けブロックが分離でき、また各前記篩い分けブロックの中の前記土壌篩い分け装置が篩い分ける土壌の精度は異なり、所要の篩い分ける精度の等級によって前記篩い分けブロックを前記ベースと前記押し潰しブロックとの間に置き、前記固定板と前記伸縮ロッドとによって前記篩い分けブロックと前記ベースと前記押し潰しブロックとを安定的に連結し、前記動力供給装置が前記土壌篩い分け装置を駆動して作動させる。
【０００６】
好ましくは、前記押し潰しブロックの下面と前記篩い分けブロックとの下面にはいずれも差し込み連結溝が形成されており、前記篩い分けブロックの上端面には前記差し込み連結溝に差し込んで連結された差し込み連結ブロックが固定的に設置され、前記差し込み連結ブロックが前記差し込み連結溝の中に伸びた時、前記篩い分けブロックの間及び前記篩い分けブロックと前記押し潰しブロックとの間が安定的に連結するようになる。
【０００７】
好ましくは、前記篩い分け収集装置は左右対称の収集スライド溝を含み、前記収集スライド溝が後方に開口しており、前記収集スライド溝の中には収集皿がスライドできるように設置され、前記収集皿の相対した一つの端面にはスライドガイドブロックが固定的に設置され、二つの前記収集スライド溝において対向する端壁の中にはスライドガイド溝が前記収集スライド溝と連通になるように形成されており、前記スライドガイドブロックが前記スライドガイド溝の中に伸びており、左側の前記収集スライド溝には土壌集中溝が外部空間と連通するように形成されており、右側の前記収集スライド溝には土壌出口が外部空間と連通するように設置され、最後の篩い分けの中の土壌は前記土壌集中溝を通して左側の前記収集皿の中に入って収集され、篩い分けられた後に残った土壌は前記土壌出口を通して右側の前記収集皿の中に入って収集された。
【０００８】
好ましくは、前記土壌篩い分け装置は空きチャンバを含み、前記空きチャンバの中の前後端壁の間にはスプライン軸が回転できるように設置され、前記スプライン軸の前後端が前記篩い分け動力装置と動力が伝達できるように連結され、前記スプライン軸には篩い分け筒がスプラインによって連結され、前記篩い分け筒の右端面には過渡斜め板が固定的に設置され、前記篩い分け筒の中には篩い分けチャンバが設置され、前記篩い分けチャンバの上側と前記空きチャンバとの間には貫通溝が連通するように形成されており、前記篩い分けチャンバの下側と前記空きチャンバとの間には篩い分け網が連通するように設置され、前記空きチャンバの右側と外部空間との間には収納スライド溝が連通するように形成されており、前記収納スライド溝の中には収納皿がスライドできるように設置され、前記収納皿の左端が前記空きチャンバの中に伸びており、また前記収納皿が前記過渡斜め板の下側位置にあり、前記収納皿の右端面にはガイドブロックが固定的に設置され、前記収納スライド溝の右端壁の中にはガイド溝が連通するように形成されており、前記ガイドブロックが前記ガイド溝の中に伸びており、また前記ガイドブロックが前記ガイド溝とスライドできるように連結され、前記収納スライド溝の前端には磁石が固定的に設置され、前記収納皿の前端が前記磁石と磁力の吸引によって連結され、前記収納スライド溝の後端壁には密封回転溝が連通するように形成されており、前記密封回転溝の中には密封板が回転できるように設置され、前記密封板と前記密封回転溝の前端壁との間にはトーションばねが固定的に設置され、前記篩い分け筒は前後に移動して前記篩い分けチャンバの中の土壌を篩い分け、標準に達した土壌粒は前記篩い分け網を通して排出され、また標準に達した土壌粒が前記過渡斜め板によって前記収納皿の中に入って収集され、標準に達しない土壌粒は次の前記篩い分けブロックの中の前記篩い分けチャンバの中に入って再び篩い分けられる。
【０００９】
好ましくは、各前記篩い分けブロックの中の前記篩い分け網のメッシュの大きさが異なり、それによって各前記篩い分けブロックの異なる篩い分け等級を決め、前記篩い分けブロックの間が交差されるように連結され、それによって前の前記篩い分けブロックの下端が次の前記篩い分けブロックの前記貫通溝の中に差し込まれ、前記篩い分けチャンバは傾斜状態を呈して設置され、土壌が詰まる問題を避け、また前記篩い分けブロックの間の連結が安定である。
【００１０】
好ましくは、前記篩い分け動力装置は前記空きチャンバと連通している前後対称のカム回転チャンバを含み、前記カム回転チャンバの中にはカムがカム回転軸によって回転できるように設置され、前記カムの上側には第一ベベルギヤが固定的に設置され、前記第一ベベルギヤの左側には第二ベベルギヤが噛み合うように連結され、前記第二ベベルギヤの左端面にはギヤ回転軸が固定的に設置され、前後の前記ギヤ回転軸の間がタイミングベルトによって動力が伝達できるように連結され、前記カムのうち前記空きチャンバに近接している一つの端面にはプッシュ板が当接しており、前記プッシュ板のうち互いに近接している一端と前記カム回転チャンバとの間には圧力ばねが固定的に設置され、前記スプライン軸の前後端がそれぞれ前後の前記カム回転チャンバの中の伸びており、且つ前記プッシュ板と固定的に連結され、後側の前記カム回転チャンバの下側にはベルトチャンバが連通するように設置され、前記カム回転軸の下端は前記ベルトチャンバの下壁内部に回転可能に取り付けられ、前記ベルトチャンバの中の右側にはスプラインスリーブが設置され、前記スプラインスリーブと前記カム回転軸との間がタイミングはめ歯ベルトによって動力が伝達できるように連結され、前記ベルトチャンバの下側には伝動溝が連通するように形成されており、前記スプラインスリーブの下端が前記伝動溝の中に伸びており、また前記スプラインスリーブの下端が前記カム回転軸の上端とスプラインによって連結されることができ、前後の前記カムが回転し、前記プッシュ板によって前記篩い分け筒が前後へ高頻度に移動し、前記篩い分けチャンバの中の土壌を篩い分ける。
【００１１】
好ましくは、前記押し潰し装置は前記取り付けチャンバの前後端壁に固定的に設置された固定軸を含み、前記固定軸には押し潰し筒がスライドできるように取り付けられ、前記押し潰し筒の中には押し潰しチャンバが設置され、前記押し潰しチャンバの中には押し潰し輪が回転できるように設置され、前記押し潰し輪の軸心のところには押し潰し回転軸が固定的に設置され、前記押し潰し回転軸の前後端には親ネジが固定的に設置され、前側の前記親ネジの前端が前記取り付けチャンバの前端壁と回転できるように連結され、後側の前記親ネジの後端が前記動力供給装置と動力が伝達できるように連結され、前記親ネジと前記押し潰し筒との間がそれぞれネジ山によって連結され、前記押し潰し回転軸が回転して前記押し潰し輪を回転連動させて前記押し潰しチャンバの中の土壌を押し潰し、前記親ネジの回転によって前記押し潰し筒が前後に移動し、それによって前記押し潰し輪が土壌を十分に押し潰す。
【００１２】
好ましくは、前記動力供給装置は前記取り付けチャンバと連通している動力チャンバを含み、前記親ネジの後端が前記動力チャンバの中に伸びており、また前記親ネジの後端には第三ベベルギヤが固定的に設置され、前記第三ベベルギヤの左側には第四ベベルギヤが噛み合うように連結され、前記第四ベベルギヤの軸心のところにはスピンドルが固定的に設置され、前記動力チャンバの右端壁の中にはモーターが固定的に設置され、前記スピンドルの右端が前記モーターに動力が伝達できるように連結され、前記動力チャンバの左側には噛み合いチャンバが連通するように設置され、前記スピンドルの左端が前記噛み合いチャンバの中に伸びており、また前記スピンドルの左端には第五ベベルギヤが固定的に設置され、前記第五ベベルギヤの下側には第六ベベルギヤが噛み合うように連結され、前記第六ベベルギヤのうち前記第五ベベルギヤから離れている一つの端面にはスプライン筒が固定的に設置され、前記噛み合いチャンバの下側には連結溝が連通するように形成されており、前記スプライン筒の下端が前記連結溝の中に伸びており、前記カム回転軸の上端が前記スプライン筒とスプラインによって連結されることができ、前記モーターは作動して装置全体の中の前記土壌篩い分け装置を駆動して作動させることができる。
【００１３】
好ましくは、前記スプラインスリーブと前記スプライン筒とがいずれも前記カム回転軸とスプラインによって連結されることができ、それによって前記押し潰しブロックと前記篩い分けブロックとの間及び前記篩い分けブロックの間が動力が伝達できるように安定的に連結されることができる。
【発明の効果】
【００１４】
本発明の有益な効果は：本発明の一つの篩い分けブロックの中の土壌篩い分け装置の構造が同じであり、土壌篩い分け装置の内部の篩い分け網のメッシュの大きさによって篩い分け等級を分け、篩い分けブロックの数の増加と減少とによって、土壌篩い分けの等級と規格とを調節でき、適用範囲は広く、それによって本装置を持つこと又は移動させることが便利であり、また装置にはただ一つのモーターによって各篩い分けブロックを駆動して作動させ、エネルギーを省いて効率的である。
【図面の簡単な説明】
【００１５】
説明しやすいために、本発明を下記の具体的な実施例及び附図をもって詳しく説明する。下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１６】
【図１】図１は本発明の土壌測定用の快速の篩い分け装置の全体構造略図
【図２】図２は図１の「Ａ」の拡大構造略図
【図３】図３は図１の「Ｂ―Ｂ」方向の構造略図
【図４】図４は図２の「Ｃ―Ｃ」方向の構造略図
【図５】図５は図３の「Ｄ―Ｄ」方向の構造略図
【図６】図６は図１の「Ｅ―Ｅ」方向の構造略図
【発明を実施するための形態】
【００１７】
本発明は土壌測定用の快速の篩い分け装置であり、主に土壌測定の中の土壌篩い分けの作業に使われ、以下、本発明の付図を合わせて本発明を更に説明する：
【００１８】
本発明の土壌測定用の快速の篩い分け装置は、ベース１０を含み、前記ベース１０の中には篩い分け収集装置６０１が設置され、前記ベース１０の上側には三つの交差されるように配置された篩い分けブロック４２が設置され、前記篩い分けブロック４２の中には土壌篩い分け装置６０２が設置され、前記土壌篩い分け装置６０２の前後両側の間には篩い分け動力装置６０３が設置され、前記篩い分けブロック４２の上側には押し潰しブロック２３が設置され、前記押し潰しブロック２３の中には取り付けチャンバ２５が設置され、前記取り付けチャンバ２５の中には篩い分けられる土壌を押し潰すことができる押し潰し装置６０４が設置され、前記取り付けチャンバ２５の上側には土壌入り口２４が外部空間と連通するように設置され、前記取り付けチャンバ２５の後側には動力供給装置６０５が設置され、前記押し潰し装置６０４と前記動力供給装置６０５との間が動力が伝達できるように連結され、前記ベース１０の左右端面には伸縮ロッド１８が固定的に設置され、前記伸縮ロッド１８の中には伸縮溝１９が形成されており、前記伸縮溝１９の中には伸縮スライドロッド２１がスライドできるように設置され、前記伸縮スライドロッド２１の下端と前記伸縮溝１９との間には伸縮ばね２０が固定的に設置され、前記伸縮スライドロッド２１の上端が外部空間に伸びており、また前記伸縮スライドロッド２１の間には固定板２２が固定的に設置され、前記固定板２２の下端が前記押し潰しブロック２３と当接しており、前記篩い分けブロック４２が分離でき、また各前記篩い分けブロック４２の中の前記土壌篩い分け装置６０２が篩い分ける土壌の精度は異なり、所要の篩い分ける精度の等級によって前記篩い分けブロック４２を前記ベース１０と前記押し潰しブロック２３との間に置き、前記固定板２２と前記伸縮ロッド１８とによって前記篩い分けブロック４２と前記ベース１０と前記押し潰しブロック２３とを安定的に連結し、前記動力供給装置６０５が前記土壌篩い分け装置６０２を駆動して作動させる。
【００１９】
有益なように、前記押し潰しブロック２３の下面と前記篩い分けブロック４２との下面にはいずれも差し込み連結溝４９が形成されており、前記篩い分けブロック４２の上端面には前記差し込み連結溝４９に差し込んで連結された差し込み連結ブロック５０が固定的に設置され、前記差し込み連結ブロック５０が前記差し込み連結溝４９の中に伸びた時、前記篩い分けブロック４２の間及び前記篩い分けブロック４２と前記押し潰しブロック２３との間が安定的に連結するようになる。
【００２０】
有益なように、前記篩い分け収集装置６０１は左右対称の収集スライド溝１１を含み、前記収集スライド溝１１が後方に開口しており、前記収集スライド溝１１の中には収集皿１２がスライドできるように設置され、前記収集皿１２の相対した一つの端面にはスライドガイドブロック１５が固定的に設置され、二つの前記収集スライド溝１１において対向する端壁の中にはスライドガイド溝１４が前記収集スライド溝１１と連通になるように形成されており、前記スライドガイドブロック１５が前記スライドガイド溝１４の中に伸びており、左側の前記収集スライド溝１１には土壌集中溝１６が外部空間と連通するように形成されており、右側の前記収集スライド溝１１には土壌出口１７が外部空間と連通するように設置され、最後の篩い分けの中の土壌は前記土壌集中溝１６を通して左側の前記収集皿１２の中に入って収集され、篩い分けられた後に残った土壌は前記土壌出口１７を通して右側の前記収集皿１２の中に入って収集された。
【００２１】
有益なように、（上から下までの一番目の前記篩い分けブロック４２の中の前記土壌篩い分け装置６０２を例にして説明する）前記土壌篩い分け装置６０２は空きチャンバ４３を含み、前記空きチャンバ４３の中の前後端壁の間にはスプライン軸５１が回転できるように設置され、前記スプライン軸５１の前後端が前記篩い分け動力装置６０３と動力が伝達できるように連結され、前記スプライン軸５１には篩い分け筒４４がスプラインによって連結され、前記篩い分け筒４４の右端面には過渡斜め板４８が固定的に設置され、前記篩い分け筒４４の中には篩い分けチャンバ４５が設置され、前記篩い分けチャンバ４５の上側と前記空きチャンバ４３との間には貫通溝４６が連通するように形成されており、前記篩い分けチャンバ４５の下側と前記空きチャンバ４３との間には篩い分け網４７が連通するように設置され、前記空きチャンバ４３の右側と外部空間との間には収納スライド溝６５が連通するように形成されており、前記収納スライド溝６５の中には収納皿６６がスライドできるように設置され、前記収納皿６６の左端が前記空きチャンバ４３の中に伸びており、また前記収納皿６６が前記過渡斜め板４８の下側位置にあり、前記収納皿６６の右端面にはガイドブロック６９が固定的に設置され、前記収納スライド溝６５の右端壁の中にはガイド溝６８が連通するように形成されており、前記ガイドブロック６９が前記ガイド溝６８の中に伸びており、また前記ガイドブロック６９が前記ガイド溝６８とスライドできるように連結され、前記収納スライド溝６５の前端には磁石７０が固定的に設置され、前記収納皿６６の前端が前記磁石７０と磁力の吸引によって連結され、前記収納スライド溝６５の後端壁には密封回転溝７１が連通するように形成されており、前記密封回転溝７１の中には密封板７２が回転できるように設置され、前記密封板７２と前記密封回転溝７１の前端壁との間にはトーションばね７３が固定的に設置され、前記篩い分け筒４４は前後に移動して前記篩い分けチャンバ４５の中の土壌を篩い分け、標準に達した土壌粒は前記篩い分け網４７を通して排出され、また標準に達した土壌粒が前記過渡斜め板４８によって前記収納皿６６の中に入って収集され、標準に達しない土壌粒は次の前記篩い分けブロック４２の中の前記篩い分けチャンバ４５の中に入って再び篩い分けられる。
【００２２】
有益なように、各前記篩い分けブロック４２の中の前記篩い分け網４７のメッシュの大きさが異なり、それによって各前記篩い分けブロック４２の異なる篩い分け等級を決め、前記篩い分けブロック４２の間が交差されるように連結され、それによって前の前記篩い分けブロック４２の下端が次の前記篩い分けブロック４２の前記貫通溝４６の中に差し込まれ、前記篩い分けチャンバ４５は傾斜状態を呈して設置され、土壌が詰まる問題を避け、また前記篩い分けブロック４２の間の連結が安定である。
【００２３】
有益なように、前記篩い分け動力装置６０３は前記空きチャンバ４３と連通している前後対称のカム回転チャンバ５２を含み、前記カム回転チャンバ５２の中にはカム５５がカム回転軸５６によって回転できるように設置され、前記カム５５の上側には第一ベベルギヤ５７が固定的に設置され、前記第一ベベルギヤ５７の左側には第二ベベルギヤ５８が噛み合うように連結され、前記第二ベベルギヤ５８の左端面にはギヤ回転軸５９が固定的に設置され、前後の前記ギヤ回転軸５９の間がタイミングベルト６０によって動力が伝達できるように連結され、前記カム５５のうち前記空きチャンバ４３に近接している一つの端面にはプッシュ板５３が当接しており、前記プッシュ板５３のうち互いに近接している一端と前記カム回転チャンバ５２との間には圧力ばね５４が固定的に設置され、前記スプライン軸５１の前後端がそれぞれ前後の前記カム回転チャンバ５２の中の伸びており、且つ前記プッシュ板５３と固定的に連結され、後側の前記カム回転チャンバ５２の下側にはベルトチャンバ６２が連通するように設置され、前記カム回転軸５６の下端は前記ベルトチャンバ６２の下壁内部に回転可能に取り付けられ、前記ベルトチャンバ６２の中の右側にはスプラインスリーブ６３が設置され、前記スプラインスリーブ６３と前記カム回転軸５６との間がタイミングはめ歯ベルト６１によって動力が伝達できるように連結され、前記ベルトチャンバ６２の下側には伝動溝６４が連通するように形成されており、前記スプラインスリーブ６３の下端が前記伝動溝６４の中に伸びており、また前記スプラインスリーブ６３の下端が前記カム回転軸５６の上端とスプラインによって連結されることができ、前後の前記カム５５が回転し、前記プッシュ板５３によって前記篩い分け筒４４が前後へ高頻度に移動し、前記篩い分けチャンバ４５の中の土壌を篩い分ける。
【００２４】
有益なように、前記押し潰し装置６０４は前記取り付けチャンバ２５の前後端壁に固定的に設置された固定軸２８を含み、前記固定軸２８には押し潰し筒２６がスライドできるように取り付けられ、前記押し潰し筒２６の中には押し潰しチャンバ２７が設置され、前記押し潰しチャンバ２７の中には押し潰し輪３０が回転できるように設置され、前記押し潰し輪３０の軸心のところには押し潰し回転軸２９が固定的に設置され、前記押し潰し回転軸２９の前後端には親ネジ３１が固定的に設置され、前側の前記親ネジ３１の前端が前記取り付けチャンバ２５の前端壁と回転できるように連結され、後側の前記親ネジ３１の後端が前記動力供給装置６０５と動力が伝達できるように連結され、前記親ネジ３１と前記押し潰し筒２６との間がそれぞれネジ山によって連結され、前記押し潰し回転軸２９が回転して前記押し潰し輪３０を回転連動させて前記押し潰しチャンバ２７の中の土壌を押し潰し、前記親ネジ３１の回転によって前記押し潰し筒２６が前後に移動し、それによって前記押し潰し輪３０が土壌を十分に押し潰す。
【００２５】
有益なように、前記動力供給装置６０５は前記取り付けチャンバ２５と連通している動力チャンバ３２を含み、前記親ネジ３１の後端が前記動力チャンバ３２の中に伸びており、また前記親ネジ３１の後端には第三ベベルギヤ３３が固定的に設置され、前記第三ベベルギヤ３３の左側には第四ベベルギヤ３５が噛み合うように連結され、前記第四ベベルギヤ３５の軸心のところにはスピンドル３６が固定的に設置され、前記動力チャンバ３２の右端壁の中にはモーター３４が固定的に設置され、前記スピンドル３６の右端が前記モーター３４に動力が伝達できるように連結され、前記動力チャンバ３２の左側には噛み合いチャンバ３８が連通するように設置され、前記スピンドル３６の左端が前記噛み合いチャンバ３８の中に伸びており、また前記スピンドル３６の左端には第五ベベルギヤ３７が固定的に設置され、前記第五ベベルギヤ３７の下側には第六ベベルギヤ４０が噛み合うように連結され、前記第六ベベルギヤ４０のうち前記第五ベベルギヤ３７から離れている一つの端面にはスプライン筒３９が固定的に設置され、前記噛み合いチャンバ３８の下側には連結溝４１が連通するように形成されており、前記スプライン筒３９の下端が前記連結溝４１の中に伸びており、前記カム回転軸５６の上端が前記スプライン筒３９とスプラインによって連結されることができ、前記モーター３４は作動して装置全体の中の前記土壌篩い分け装置６０２を駆動して作動させることができる。
【００２６】
有益なように、前記スプラインスリーブ６３と前記スプライン筒３９とがいずれも前記カム回転軸５６とスプラインによって連結されることができ、それによって前記押し潰しブロック２３と前記篩い分けブロック４２との間及び前記篩い分けブロック４２の間が動力が伝達できるように安定的に連結されることができる。
【００２７】
以下、図１〜６を合わせて本出願の土壌測定用の快速の篩い分け装置の使用ステップを詳しく説明する：
【００２８】
篩い分けの作業を行うために装置を取り付ける時、需要によって異なる級別の篩い分けブロック４２を選び、篩い分け網４７のメッシュが一番大きい篩い分けブロック４２をベース１０に置き、次の等級の篩い分けブロック４２を現有の篩い分けブロック４２の上側位置に置き、また下側の篩い分けブロック４２の中の差し込み連結ブロック５０が上側の篩い分けブロック４２の中の差し込み連結溝４９の中に伸び、それによって二つの篩い分けブロック４２が安定的に連結され、この時、上側の篩い分けブロック４２の下端が下側の篩い分けブロック４２の中の貫通溝４６の中に伸び、下側の篩い分けブロック４２の中のカム回転軸５６の頂端が上側の篩い分けブロック４２の中のスプラインスリーブ６３とスプラインによって連結され、この時、二つの篩い分けブロック４２の取り付けが完成し、同じの取り付け操作で所要の篩い分けブロック４２を一緒に取り付け、次に、土壌入り口２４から篩い分けられる土壌を押し潰しチャンバ２７の中に詰め、その後、押し潰しブロック２３を一番上側の篩い分けブロック４２の上端に取り付け、伸縮スライドロッド２１と伸縮ロッド１８との間の伸縮作用は固定板２２によって押し潰しブロック２３と篩い分けブロック４２とを安定的に連結でき、この時、固定板２２が土壌入り口２４を密封し、カム回転軸５６がスプライン筒３９とスプラインによって連結された。
【００２９】
土壌を篩い分ける時、モーター３４が作動し、スピンドル３６を駆動して回転させ、それによって親ネジ３１が回転して押し潰し輪３０を回転連動させて土壌を押し潰し、親ネジ３１が回転すると、押し潰し筒２６が前後に移動し、それによって土壌を均等的に全般的に押し潰し、スピンドル３６が回転することによって第六ベベルギヤ４０が回転し、それによってスプライン筒３９がカム回転軸５６を回転連動させ、それによってカム５５が回転し、それによって篩い分け筒４４が前後に移動して土壌を篩い分け、タイミングはめ歯ベルト６１によって全部の篩い分け筒４４が同期且つ高頻度に土壌を篩い分けることができ、篩い分け網４７のメッシュの大きさにマッチする土壌が篩い分け網４７の下側に篩い分けられ、次の篩い分けブロック４２の中の収納皿６６によって収集され、篩い分け網４７のメッシュの大きさにマッチしていない土壌粒が下側の篩い分けチャンバ４５の中に入り、土壌の篩い分け作業を完成するまで再び篩い分けられ、残った土壌は右側の収集皿１２によって収集された。
【００３０】
本発明の有益な効果は：本発明の一つの篩い分けブロックの中の土壌篩い分け装置の構造が同じであり、土壌篩い分け装置の内部の篩い分け網のメッシュの大きさによって篩い分け等級を分け、篩い分けブロックの数の増加と減少とによって、土壌篩い分けの等級と規格とを調節でき、適用範囲は広く、それによって本装置を持つこと又は移動させることが便利であり、また装置にはただ一つのモーターによって各篩い分けブロックを駆動して作動させ、エネルギーを省いて効率的である。
【００３１】
上記の実施例により、当業者は本出願の範囲で作業モードによって各種の変型を行うことができる。
【手続補正書】
【提出日】令和2年4月9日(2020.4.9)
【手続補正１】
【補正対象書類名】特許請求の範囲
【補正対象項目名】全文
【補正方法】変更
【補正の内容】
【特許請求の範囲】
【請求項１】
正面視で、ベースを含み、
前記ベースの中には篩い分け収集装置が設置され、前記ベースの上側には三つの交差されるように配置された篩い分けブロックが設置され、前記篩い分けブロックの中には土壌篩い分け装置が設置され、前記土壌篩い分け装置の前後両側の間には篩い分け動力装置が設置され、前記篩い分けブロックの上側には押し潰しブロックが設置され、前記押し潰しブロックの中には取り付けチャンバが設置され、前記取り付けチャンバの中には篩い分けられる土壌を押し潰すことができる押し潰し装置が設置され、前記取り付けチャンバの上側には土壌入り口が外部空間と連通するように設置され、前記取り付けチャンバの後側には動力供給装置が設置され、前記押し潰し装置と前記動力供給装置との間が動力が伝達できるように連結され、
前記ベースの左右端面には伸縮ロッドが固定的に設置され、前記伸縮ロッドの中には伸縮溝が形成されており、前記伸縮溝の中には伸縮スライドロッドがスライドできるように設置され、前記伸縮スライドロッドの下端と前記伸縮溝との間には伸縮ばねが固定的に設置され、前記伸縮スライドロッドの上端が外部空間に伸びており、また前記伸縮スライドロッドの間には固定板が固定的に設置され、前記固定板の下端が前記押し潰しブロックと当接しており、
前記篩い分けブロックが分離でき、また各前記篩い分けブロックの中の前記土壌篩い分け装置が篩い分ける土壌の精度は異なり、所要の篩い分ける精度の等級によって前記篩い分けブロックを前記ベースと前記押し潰しブロックとの間に置き、前記固定板と前記伸縮ロッドとによって前記篩い分けブロックと前記ベースと前記押し潰しブロックとを安定的に連結し、前記動力供給装置が前記土壌篩い分け装置を駆動して作動させることを特徴とする土壌検査用の快速の篩い分け装置。
【請求項２】
前記押し潰しブロックの下面と前記篩い分けブロックとの下面にはいずれも差し込み連結溝が形成されており、前記篩い分けブロックの上端面には前記差し込み連結溝に差し込んで連結された差し込み連結ブロックが固定的に設置されたことを特徴とする請求項１に記載の土壌検査用の快速の篩い分け装置。
【請求項３】
前記篩い分け収集装置は左右対称の収集スライド溝を含み、
前記収集スライド溝が後方に開口しており、前記収集スライド溝の中には収集皿がスライドできるように設置され、前記収集皿の相対した一つの端面にはスライドガイドブロックが固定的に設置され、
二つの前記収集スライド溝において対向する端壁の中にはスライドガイド溝が前記収集スライド溝と連通になるように形成されており、前記スライドガイドブロックが前記スライドガイド溝の中に伸びており、
左側の前記収集スライド溝には土壌集中溝が外部空間と連通するように形成されており、右側の前記収集スライド溝には土壌出口が外部空間と連通するように設置されたことを特徴とする請求項１に記載の土壌検査用の快速の篩い分け装置。
【請求項４】
前記土壌篩い分け装置は空きチャンバを含み、
前記空きチャンバの中の前後端壁の間にはスプライン軸が回転できるように設置され、前記スプライン軸の前後端が前記篩い分け動力装置と動力が伝達できるように連結され、前記スプライン軸には篩い分け筒がスプラインによって連結され、前記篩い分け筒の右端面には過渡斜め板が固定的に設置され、前記篩い分け筒の中には篩い分けチャンバが設置され、前記篩い分けチャンバの上側と前記空きチャンバとの間には貫通溝が連通するように形成されており、前記篩い分けチャンバの下側と前記空きチャンバとの間には篩い分け網が連通するように設置され、
前記空きチャンバの右側と外部空間との間には収納スライド溝が連通するように形成されており、前記収納スライド溝の中には収納皿がスライドできるように設置され、前記収納皿の左端が前記空きチャンバの中に伸びており、また前記収納皿が前記過渡斜め板の下側位置にあり、前記収納皿の右端面にはガイドブロックが固定的に設置され、前記収納スライド溝の右端壁の中にはガイド溝が連通するように形成されており、前記ガイドブロックが前記ガイド溝の中に伸びており、また前記ガイドブロックが前記ガイド溝とスライドできるように連結され、前記収納スライド溝の前端には磁石が固定的に設置され、前記収納皿の前端が前記磁石と磁力の吸引によって連結され、
前記収納スライド溝の後端壁には密封回転溝が連通するように形成されており、前記密封回転溝の中には密封板が回転できるように設置され、前記密封板と前記密封回転溝の前端壁との間にはトーションばねが固定的に設置されたことを特徴とする請求項１に記載の土壌検査用の快速の篩い分け装置。
【請求項５】
各前記篩い分けブロックの中の前記篩い分け網のメッシュの大きさが異なり、それによって各前記篩い分けブロックの異なる篩い分け等級を決め、前記篩い分けブロックの間が交差されるように連結され、それによって前の前記篩い分けブロックの下端が次の前記篩い分けブロックの前記貫通溝の中に差し込まれ、前記篩い分けチャンバは傾斜状態を呈して設置されたことを特徴とする請求項４に記載の土壌検査用の快速の篩い分け装置。
【請求項６】
前記篩い分け動力装置は前記空きチャンバと連通している前後対称のカム回転チャンバを含み、
前記カム回転チャンバの中にはカムがカム回転軸によって回転できるように設置され、前記カムの上側には第一ベベルギヤが固定的に設置され、前記第一ベベルギヤの左側には第二ベベルギヤが噛み合うように連結され、前記第二ベベルギヤの左端面にはギヤ回転軸が固定的に設置され、前後の前記ギヤ回転軸の間がタイミングベルトによって動力が伝達できるように連結され、前記カムのうち前記空きチャンバに近接している一つの端面にはプッシュ板が当接しており、前記プッシュ板のうち互いに近接している一端と前記カム回転チャンバとの間には圧力ばねが固定的に設置され、前記スプライン軸の前後端がそれぞれ前後の前記カム回転チャンバの中の伸びており、且つ前記プッシュ板と固定的に連結され、
後側の前記カム回転チャンバの下側にはベルトチャンバが連通するように設置され、前記カム回転軸の下端は軸受により前記ベルトチャンバの内部に回転可能に取り付けられ、前記ベルトチャンバの中の右側にはスプラインスリーブが設置され、前記スプラインスリーブと前記カム回転軸との間がタイミングはめ歯ベルトによって動力が伝達できるように連結され、
前記ベルトチャンバの下側には伝動溝が連通するように形成されており、前記スプラインスリーブの下端が前記伝動溝の中に伸びており、また前記スプラインスリーブの下端が前記カム回転軸の上端とスプラインによって連結されることができることを特徴とする請求項４に記載の土壌検査用の快速の篩い分け装置。
【請求項７】
前記押し潰し装置は前記取り付けチャンバの前後端壁に固定的に設置された固定軸を含み、
前記固定軸には押し潰し筒がスライドできるように取り付けられ、前記押し潰し筒の中には押し潰しチャンバが設置され、
前記押し潰しチャンバの中には押し潰し輪が回転できるように設置され、前記押し潰し輪の軸心のところには押し潰し回転軸が固定的に設置され、前記押し潰し回転軸の前後端には親ネジが固定的に設置され、前側の前記親ネジの前端が前記取り付けチャンバの前端壁と回転できるように連結され、後側の前記親ネジの後端が前記動力供給装置と動力が伝達できるように連結され、前記親ネジと前記押し潰し筒との間がそれぞれネジ山によって連結されたことを特徴とする請求項６に記載の土壌検査用の快速の篩い分け装置。
【請求項８】
前記動力供給装置は前記取り付けチャンバと連通している動力チャンバを含み、
前記親ネジの後端が前記動力チャンバの中に伸びており、また前記親ネジの後端には第三ベベルギヤが固定的に設置され、前記第三ベベルギヤの左側には第四ベベルギヤが噛み合うように連結され、前記第四ベベルギヤの軸心のところにはスピンドルが固定的に設置され、前記動力チャンバの右端壁の中にはモーターが固定的に設置され、前記スピンドルの右端が前記モーターに動力が伝達できるように連結され、
前記動力チャンバの左側には噛み合いチャンバが連通するように設置され、前記スピンドルの左端が前記噛み合いチャンバの中に伸びており、また前記スピンドルの左端には第五ベベルギヤが固定的に設置され、前記第五ベベルギヤの下側には第六ベベルギヤが噛み合うように連結され、前記第六ベベルギヤのうち前記第五ベベルギヤから離れている一つの端面にはスプライン筒が固定的に設置され、
前記噛み合いチャンバの下側には連結溝が連通するように形成されており、前記スプライン筒の下端が前記連結溝の中に伸びており、前記カム回転軸の上端が前記スプライン筒とスプラインによって連結されることができることを特徴とする請求項７に記載の土壌検査用の快速の篩い分け装置。
【請求項９】
前記スプラインスリーブと前記スプライン筒とがいずれも前記カム回転軸とスプラインによって連結されることができることを特徴とする請求項８に記載の土壌検査用の快速の篩い分け装置。
【手続補正２】
【補正対象書類名】明細書
【補正対象項目名】全文
【補正方法】変更
【補正の内容】
【発明の詳細な説明】
【技術分野】
【０００１】
本発明は環境検査技術分野に関わり、具体的には土壌検査用の快速の篩い分け装置である。
【背景技術】
【０００２】
伝統的な土壌検査用の篩い分け装置の中の篩い分け構造は固定的であり、篩い分けの精度等級は実際のニーズによって篩い分けて調節されることができなく、それによって篩い分け装置の使用範囲は限られ、また、伝統的な篩い分け装置は段階的に篩い分け、篩い分けのステップを増加し、篩い分けの効率が低くなり、また篩い分けた後に手で土壌を分類して集める必要があり、操作が煩雑である。本発明は上記の問題を解決できる装置を開示する。
【先行技術文献】
【特許文献】
【０００３】
【特許文献１】中国特許出願公開第１０６５８３４３５号明細書
【発明の概要】
【発明が解決しようとする課題】
【０００４】
技術問題：伝統的な土壌検査用の篩い分け装置の中の篩い分け構造は固定的であり、篩い分けの精度等級は実際のニーズによって篩い分けて調節されることができなく、それによって篩い分け装置の使用範囲は限られ、篩い分けの効率が低い。
【課題を解決するための手段】
【０００５】
上記の問題を解決するため、本発明は土壌検査用の快速の篩い分け装置を設計し、本発明の土壌検査用の快速の篩い分け装置は、ベースを含み、前記ベースの中には篩い分け収集装置が設置され、前記ベースの上側には三つの交差されるように配置された篩い分けブロックが設置され、前記篩い分けブロックの中には土壌篩い分け装置が設置され、前記土壌篩い分け装置の前後両側の間には篩い分け動力装置が設置され、前記篩い分けブロックの上側には押し潰しブロックが設置され、前記押し潰しブロックの中には取り付けチャンバが設置され、前記取り付けチャンバの中には篩い分けられる土壌を押し潰すことができる押し潰し装置が設置され、前記取り付けチャンバの上側には土壌入り口が外部空間と連通するように設置され、前記取り付けチャンバの後側には動力供給装置が設置され、前記押し潰し装置と前記動力供給装置との間が動力が伝達できるように連結され、前記ベースの左右端面には伸縮ロッドが固定的に設置され、前記伸縮ロッドの中には伸縮溝が形成されており、前記伸縮溝の中には伸縮スライドロッドがスライドできるように設置され、前記伸縮スライドロッドの下端と前記伸縮溝との間には伸縮ばねが固定的に設置され、前記伸縮スライドロッドの上端が外部空間に伸びており、また前記伸縮スライドロッドの間には固定板が固定的に設置され、前記固定板の下端が前記押し潰しブロックと当接しており、前記篩い分けブロックが分離でき、また各前記篩い分けブロックの中の前記土壌篩い分け装置が篩い分ける土壌の精度は異なり、所要の篩い分ける精度の等級によって前記篩い分けブロックを前記ベースと前記押し潰しブロックとの間に置き、前記固定板と前記伸縮ロッドとによって前記篩い分けブロックと前記ベースと前記押し潰しブロックとを安定的に連結し、前記動力供給装置が前記土壌篩い分け装置を駆動して作動させる。
【０００６】
好ましくは、前記押し潰しブロックの下面と前記篩い分けブロックとの下面にはいずれも差し込み連結溝が形成されており、前記篩い分けブロックの上端面には前記差し込み連結溝に差し込んで連結された差し込み連結ブロックが固定的に設置され、前記差し込み連結ブロックが前記差し込み連結溝の中に伸びた時、前記篩い分けブロックの間及び前記篩い分けブロックと前記押し潰しブロックとの間が安定的に連結するようになる。
【０００７】
好ましくは、前記篩い分け収集装置は左右対称の収集スライド溝を含み、前記収集スライド溝が後方に開口しており、前記収集スライド溝の中には収集皿がスライドできるように設置され、前記収集皿の相対した一つの端面にはスライドガイドブロックが固定的に設置され、二つの前記収集スライド溝において対向する端壁の中にはスライドガイド溝が前記収集スライド溝と連通になるように形成されており、前記スライドガイドブロックが前記スライドガイド溝の中に伸びており、左側の前記収集スライド溝には土壌集中溝が外部空間と連通するように形成されており、右側の前記収集スライド溝には土壌出口が外部空間と連通するように設置され、最後の篩い分けの中の土壌は前記土壌集中溝を通して左側の前記収集皿の中に入って収集され、篩い分けられた後に残った土壌は前記土壌出口を通して右側の前記収集皿の中に入って収集された。
【０００８】
好ましくは、前記土壌篩い分け装置は空きチャンバを含み、前記空きチャンバの中の前後端壁の間にはスプライン軸が回転できるように設置され、前記スプライン軸の前後端が前記篩い分け動力装置と動力が伝達できるように連結され、前記スプライン軸には篩い分け筒がスプラインによって連結され、前記篩い分け筒の右端面には過渡斜め板が固定的に設置され、前記篩い分け筒の中には篩い分けチャンバが設置され、前記篩い分けチャンバの上側と前記空きチャンバとの間には貫通溝が連通するように形成されており、前記篩い分けチャンバの下側と前記空きチャンバとの間には篩い分け網が連通するように設置され、前記空きチャンバの右側と外部空間との間には収納スライド溝が連通するように形成されており、前記収納スライド溝の中には収納皿がスライドできるように設置され、前記収納皿の左端が前記空きチャンバの中に伸びており、また前記収納皿が前記過渡斜め板の下側位置にあり、前記収納皿の右端面にはガイドブロックが固定的に設置され、前記収納スライド溝の右端壁の中にはガイド溝が連通するように形成されており、前記ガイドブロックが前記ガイド溝の中に伸びており、また前記ガイドブロックが前記ガイド溝とスライドできるように連結され、前記収納スライド溝の前端には磁石が固定的に設置され、前記収納皿の前端が前記磁石と磁力の吸引によって連結され、前記収納スライド溝の後端壁には密封回転溝が連通するように形成されており、前記密封回転溝の中には密封板が回転できるように設置され、前記密封板と前記密封回転溝の前端壁との間にはトーションばねが固定的に設置され、前記篩い分け筒は前後に移動して前記篩い分けチャンバの中の土壌を篩い分け、標準に達した土壌粒は前記篩い分け網を通して排出され、また標準に達した土壌粒が前記過渡斜め板によって前記収納皿の中に入って収集され、標準に達しない土壌粒は次の前記篩い分けブロックの中の前記篩い分けチャンバの中に入って再び篩い分けられる。
【０００９】
好ましくは、各前記篩い分けブロックの中の前記篩い分け網のメッシュの大きさが異なり、それによって各前記篩い分けブロックの異なる篩い分け等級を決め、前記篩い分けブロックの間が交差されるように連結され、それによって前の前記篩い分けブロックの下端が次の前記篩い分けブロックの前記貫通溝の中に差し込まれ、前記篩い分けチャンバは傾斜状態を呈して設置され、土壌が詰まる問題を避け、また前記篩い分けブロックの間の連結が安定である。
【００１０】
好ましくは、前記篩い分け動力装置は前記空きチャンバと連通している前後対称のカム回転チャンバを含み、前記カム回転チャンバの中にはカムがカム回転軸によって回転できるように設置され、前記カムの上側には第一ベベルギヤが固定的に設置され、前記第一ベベルギヤの左側には第二ベベルギヤが噛み合うように連結され、前記第二ベベルギヤの左端面にはギヤ回転軸が固定的に設置され、前後の前記ギヤ回転軸の間がタイミングベルトによって動力が伝達できるように連結され、前記カムのうち前記空きチャンバに近接している一つの端面にはプッシュ板が当接しており、前記プッシュ板のうち互いに近接している一端と前記カム回転チャンバとの間には圧力ばねが固定的に設置され、前記スプライン軸の前後端がそれぞれ前後の前記カム回転チャンバの中の伸びており、且つ前記プッシュ板と固定的に連結され、後側の前記カム回転チャンバの下側にはベルトチャンバが連通するように設置され、前記カム回転軸の下端は軸受により前記ベルトチャンバの内部に回転可能に取り付けられ、前記ベルトチャンバの中の右側にはスプラインスリーブが設置され、前記スプラインスリーブと前記カム回転軸との間がタイミングはめ歯ベルトによって動力が伝達できるように連結され、前記ベルトチャンバの下側には伝動溝が連通するように形成されており、前記スプラインスリーブの下端が前記伝動溝の中に伸びており、また前記スプラインスリーブの下端が前記カム回転軸の上端とスプラインによって連結されることができ、前後の前記カムが回転し、前記プッシュ板によって前記篩い分け筒が前後へ高頻度に移動し、前記篩い分けチャンバの中の土壌を篩い分ける。
【００１１】
好ましくは、前記押し潰し装置は前記取り付けチャンバの前後端壁に固定的に設置された固定軸を含み、前記固定軸には押し潰し筒がスライドできるように取り付けられ、前記押し潰し筒の中には押し潰しチャンバが設置され、前記押し潰しチャンバの中には押し潰し輪が回転できるように設置され、前記押し潰し輪の軸心のところには押し潰し回転軸が固定的に設置され、前記押し潰し回転軸の前後端には親ネジが固定的に設置され、前側の前記親ネジの前端が前記取り付けチャンバの前端壁と回転できるように連結され、後側の前記親ネジの後端が前記動力供給装置と動力が伝達できるように連結され、前記親ネジと前記押し潰し筒との間がそれぞれネジ山によって連結され、前記押し潰し回転軸が回転して前記押し潰し輪を回転連動させて前記押し潰しチャンバの中の土壌を押し潰し、前記親ネジの回転によって前記押し潰し筒が前後に移動し、それによって前記押し潰し輪が土壌を十分に押し潰す。
【００１２】
好ましくは、前記動力供給装置は前記取り付けチャンバと連通している動力チャンバを含み、前記親ネジの後端が前記動力チャンバの中に伸びており、また前記親ネジの後端には第三ベベルギヤが固定的に設置され、前記第三ベベルギヤの左側には第四ベベルギヤが噛み合うように連結され、前記第四ベベルギヤの軸心のところにはスピンドルが固定的に設置され、前記動力チャンバの右端壁の中にはモーターが固定的に設置され、前記スピンドルの右端が前記モーターに動力が伝達できるように連結され、前記動力チャンバの左側には噛み合いチャンバが連通するように設置され、前記スピンドルの左端が前記噛み合いチャンバの中に伸びており、また前記スピンドルの左端には第五ベベルギヤが固定的に設置され、前記第五ベベルギヤの下側には第六ベベルギヤが噛み合うように連結され、前記第六ベベルギヤのうち前記第五ベベルギヤから離れている一つの端面にはスプライン筒が固定的に設置され、前記噛み合いチャンバの下側には連結溝が連通するように形成されており、前記スプライン筒の下端が前記連結溝の中に伸びており、前記カム回転軸の上端が前記スプライン筒とスプラインによって連結されることができ、前記モーターは作動して装置全体の中の前記土壌篩い分け装置を駆動して作動させることができる。
【００１３】
好ましくは、前記スプラインスリーブと前記スプライン筒とがいずれも前記カム回転軸とスプラインによって連結されることができ、それによって前記押し潰しブロックと前記篩い分けブロックとの間及び前記篩い分けブロックの間が動力が伝達できるように安定的に連結されることができる。
【発明の効果】
【００１４】
本発明の有益な効果は：本発明の一つの篩い分けブロックの中の土壌篩い分け装置の構造が同じであり、土壌篩い分け装置の内部の篩い分け網のメッシュの大きさによって篩い分け等級を分け、篩い分けブロックの数の増加と減少とによって、土壌篩い分けの等級と規格とを調節でき、適用範囲は広く、それによって本装置を持つこと又は移動させることが便利であり、また装置にはただ一つのモーターによって各篩い分けブロックを駆動して作動させ、エネルギーを省いて効率的である。
【図面の簡単な説明】
【００１５】
説明しやすいために、本発明を下記の具体的な実施例及び附図をもって詳しく説明する。下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１６】
【図１】図１は本発明の土壌検査用の快速の篩い分け装置の全体構造略図
【図２】図２は図１の「Ａ」の拡大構造略図
【図３】図３は図１の「Ｂ―Ｂ」方向の構造略図
【図４】図４は図２の「Ｃ―Ｃ」方向の構造略図
【図５】図５は図３の「Ｄ―Ｄ」方向の構造略図
【図６】図６は図１の「Ｅ―Ｅ」方向の構造略図
【発明を実施するための形態】
【００１７】
本発明は土壌検査用の快速の篩い分け装置であり、主に土壌検査の中の土壌篩い分けの作業に使われ、以下、本発明の付図を合わせて本発明を更に説明する：
【００１８】
本発明の土壌検査用の快速の篩い分け装置は、ベース１０を含み、前記ベース１０の中には篩い分け収集装置６０１が設置され、前記ベース１０の上側には三つの交差されるように配置された篩い分けブロック４２が設置され、前記篩い分けブロック４２の中には土壌篩い分け装置６０２が設置され、前記土壌篩い分け装置６０２の前後両側の間には篩い分け動力装置６０３が設置され、前記篩い分けブロック４２の上側には押し潰しブロック２３が設置され、前記押し潰しブロック２３の中には取り付けチャンバ２５が設置され、前記取り付けチャンバ２５の中には篩い分けられる土壌を押し潰すことができる押し潰し装置６０４が設置され、前記取り付けチャンバ２５の上側には土壌入り口２４が外部空間と連通するように設置され、前記取り付けチャンバ２５の後側には動力供給装置６０５が設置され、前記押し潰し装置６０４と前記動力供給装置６０５との間が動力が伝達できるように連結され、前記ベース１０の左右端面には伸縮ロッド１８が固定的に設置され、前記伸縮ロッド１８の中には伸縮溝１９が形成されており、前記伸縮溝１９の中には伸縮スライドロッド２１がスライドできるように設置され、前記伸縮スライドロッド２１の下端と前記伸縮溝１９との間には伸縮ばね２０が固定的に設置され、前記伸縮スライドロッド２１の上端が外部空間に伸びており、また前記伸縮スライドロッド２１の間には固定板２２が固定的に設置され、前記固定板２２の下端が前記押し潰しブロック２３と当接しており、前記篩い分けブロック４２が分離でき、また各前記篩い分けブロック４２の中の前記土壌篩い分け装置６０２が篩い分ける土壌の精度は異なり、所要の篩い分ける精度の等級によって前記篩い分けブロック４２を前記ベース１０と前記押し潰しブロック２３との間に置き、前記固定板２２と前記伸縮ロッド１８とによって前記篩い分けブロック４２と前記ベース１０と前記押し潰しブロック２３とを安定的に連結し、前記動力供給装置６０５が前記土壌篩い分け装置６０２を駆動して作動させる。
【００１９】
有益なように、前記押し潰しブロック２３の下面と前記篩い分けブロック４２との下面にはいずれも差し込み連結溝４９が形成されており、前記篩い分けブロック４２の上端面には前記差し込み連結溝４９に差し込んで連結された差し込み連結ブロック５０が固定的に設置され、前記差し込み連結ブロック５０が前記差し込み連結溝４９の中に伸びた時、前記篩い分けブロック４２の間及び前記篩い分けブロック４２と前記押し潰しブロック２３との間が安定的に連結するようになる。
【００２０】
有益なように、前記篩い分け収集装置６０１は左右対称の収集スライド溝１１を含み、前記収集スライド溝１１が後方に開口しており、前記収集スライド溝１１の中には収集皿１２がスライドできるように設置され、前記収集皿１２の相対した一つの端面にはスライドガイドブロック１５が固定的に設置され、二つの前記収集スライド溝１１において対向する端壁の中にはスライドガイド溝１４が前記収集スライド溝１１と連通になるように形成されており、前記スライドガイドブロック１５が前記スライドガイド溝１４の中に伸びており、左側の前記収集スライド溝１１には土壌集中溝１６が外部空間と連通するように形成されており、右側の前記収集スライド溝１１には土壌出口１７が外部空間と連通するように設置され、最後の篩い分けの中の土壌は前記土壌集中溝１６を通して左側の前記収集皿１２の中に入って収集され、篩い分けられた後に残った土壌は前記土壌出口１７を通して右側の前記収集皿１２の中に入って収集された。
【００２１】
有益なように、（上から下までの一番目の前記篩い分けブロック４２の中の前記土壌篩い分け装置６０２を例にして説明する）前記土壌篩い分け装置６０２は空きチャンバ４３を含み、前記空きチャンバ４３の中の前後端壁の間にはスプライン軸５１が回転できるように設置され、前記スプライン軸５１の前後端が前記篩い分け動力装置６０３と動力が伝達できるように連結され、前記スプライン軸５１には篩い分け筒４４がスプラインによって連結され、前記篩い分け筒４４の右端面には過渡斜め板４８が固定的に設置され、前記篩い分け筒４４の中には篩い分けチャンバ４５が設置され、前記篩い分けチャンバ４５の上側と前記空きチャンバ４３との間には貫通溝４６が連通するように形成されており、前記篩い分けチャンバ４５の下側と前記空きチャンバ４３との間には篩い分け網４７が連通するように設置され、前記空きチャンバ４３の右側と外部空間との間には収納スライド溝６５が連通するように形成されており、前記収納スライド溝６５の中には収納皿６６がスライドできるように設置され、前記収納皿６６の左端が前記空きチャンバ４３の中に伸びており、また前記収納皿６６が前記過渡斜め板４８の下側位置にあり、前記収納皿６６の右端面にはガイドブロック６９が固定的に設置され、前記収納スライド溝６５の右端壁の中にはガイド溝６８が連通するように形成されており、前記ガイドブロック６９が前記ガイド溝６８の中に伸びており、また前記ガイドブロック６９が前記ガイド溝６８とスライドできるように連結され、前記収納スライド溝６５の前端には磁石７０が固定的に設置され、前記収納皿６６の前端が前記磁石７０と磁力の吸引によって連結され、前記収納スライド溝６５の後端壁には密封回転溝７１が連通するように形成されており、前記密封回転溝７１の中には密封板７２が回転できるように設置され、前記密封板７２と前記密封回転溝７１の前端壁との間にはトーションばね７３が固定的に設置され、前記篩い分け筒４４は前後に移動して前記篩い分けチャンバ４５の中の土壌を篩い分け、標準に達した土壌粒は前記篩い分け網４７を通して排出され、また標準に達した土壌粒が前記過渡斜め板４８によって前記収納皿６６の中に入って収集され、標準に達しない土壌粒は次の前記篩い分けブロック４２の中の前記篩い分けチャンバ４５の中に入って再び篩い分けられる。
【００２２】
有益なように、各前記篩い分けブロック４２の中の前記篩い分け網４７のメッシュの大きさが異なり、それによって各前記篩い分けブロック４２の異なる篩い分け等級を決め、前記篩い分けブロック４２の間が交差されるように連結され、それによって前の前記篩い分けブロック４２の下端が次の前記篩い分けブロック４２の前記貫通溝４６の中に差し込まれ、前記篩い分けチャンバ４５は傾斜状態を呈して設置され、土壌が詰まる問題を避け、また前記篩い分けブロック４２の間の連結が安定である。
【００２３】
有益なように、前記篩い分け動力装置６０３は前記空きチャンバ４３と連通している前後対称のカム回転チャンバ５２を含み、前記カム回転チャンバ５２の中にはカム５５がカム回転軸５６によって回転できるように設置され、前記カム５５の上側には第一ベベルギヤ５７が固定的に設置され、前記第一ベベルギヤ５７の左側には第二ベベルギヤ５８が噛み合うように連結され、前記第二ベベルギヤ５８の左端面にはギヤ回転軸５９が固定的に設置され、前後の前記ギヤ回転軸５９の間がタイミングベルト６０によって動力が伝達できるように連結され、前記カム５５のうち前記空きチャンバ４３に近接している一つの端面にはプッシュ板５３が当接しており、前記プッシュ板５３のうち互いに近接している一端と前記カム回転チャンバ５２との間には圧力ばね５４が固定的に設置され、前記スプライン軸５１の前後端がそれぞれ前後の前記カム回転チャンバ５２の中の伸びており、且つ前記プッシュ板５３と固定的に連結され、後側の前記カム回転チャンバ５２の下側にはベルトチャンバ６２が連通するように設置され、前記カム回転軸５６の下端は軸受により前記ベルトチャンバ６２の内部に回転可能に取り付けられ、前記ベルトチャンバ６２の中の右側にはスプラインスリーブ６３が設置され、前記スプラインスリーブ６３と前記カム回転軸５６との間がタイミングはめ歯ベルト６１によって動力が伝達できるように連結され、前記ベルトチャンバ６２の下側には伝動溝６４が連通するように形成されており、前記スプラインスリーブ６３の下端が前記伝動溝６４の中に伸びており、また前記スプラインスリーブ６３の下端が前記カム回転軸５６の上端とスプラインによって連結されることができ、前後の前記カム５５が回転し、前記プッシュ板５３によって前記篩い分け筒４４が前後へ高頻度に移動し、前記篩い分けチャンバ４５の中の土壌を篩い分ける。
【００２４】
有益なように、前記押し潰し装置６０４は前記取り付けチャンバ２５の前後端壁に固定的に設置された固定軸２８を含み、前記固定軸２８には押し潰し筒２６がスライドできるように取り付けられ、前記押し潰し筒２６の中には押し潰しチャンバ２７が設置され、前記押し潰しチャンバ２７の中には押し潰し輪３０が回転できるように設置され、前記押し潰し輪３０の軸心のところには押し潰し回転軸２９が固定的に設置され、前記押し潰し回転軸２９の前後端には親ネジ３１が固定的に設置され、前側の前記親ネジ３１の前端が前記取り付けチャンバ２５の前端壁と回転できるように連結され、後側の前記親ネジ３１の後端が前記動力供給装置６０５と動力が伝達できるように連結され、前記親ネジ３１と前記押し潰し筒２６との間がそれぞれネジ山によって連結され、前記押し潰し回転軸２９が回転して前記押し潰し輪３０を回転連動させて前記押し潰しチャンバ２７の中の土壌を押し潰し、前記親ネジ３１の回転によって前記押し潰し筒２６が前後に移動し、それによって前記押し潰し輪３０が土壌を十分に押し潰す。
【００２５】
有益なように、前記動力供給装置６０５は前記取り付けチャンバ２５と連通している動力チャンバ３２を含み、前記親ネジ３１の後端が前記動力チャンバ３２の中に伸びており、また前記親ネジ３１の後端には第三ベベルギヤ３３が固定的に設置され、前記第三ベベルギヤ３３の左側には第四ベベルギヤ３５が噛み合うように連結され、前記第四ベベルギヤ３５の軸心のところにはスピンドル３６が固定的に設置され、前記動力チャンバ３２の右端壁の中にはモーター３４が固定的に設置され、前記スピンドル３６の右端が前記モーター３４に動力が伝達できるように連結され、前記動力チャンバ３２の左側には噛み合いチャンバ３８が連通するように設置され、前記スピンドル３６の左端が前記噛み合いチャンバ３８の中に伸びており、また前記スピンドル３６の左端には第五ベベルギヤ３７が固定的に設置され、前記第五ベベルギヤ３７の下側には第六ベベルギヤ４０が噛み合うように連結され、前記第六ベベルギヤ４０のうち前記第五ベベルギヤ３７から離れている一つの端面にはスプライン筒３９が固定的に設置され、前記噛み合いチャンバ３８の下側には連結溝４１が連通するように形成されており、前記スプライン筒３９の下端が前記連結溝４１の中に伸びており、前記カム回転軸５６の上端が前記スプライン筒３９とスプラインによって連結されることができ、前記モーター３４は作動して装置全体の中の前記土壌篩い分け装置６０２を駆動して作動させることができる。
【００２６】
有益なように、前記スプラインスリーブ６３と前記スプライン筒３９とがいずれも前記カム回転軸５６とスプラインによって連結されることができ、それによって前記押し潰しブロック２３と前記篩い分けブロック４２との間及び前記篩い分けブロック４２の間が動力が伝達できるように安定的に連結されることができる。
【００２７】
以下、図１〜６を合わせて本出願の土壌検査用の快速の篩い分け装置の使用ステップを詳しく説明する：
【００２８】
篩い分けの作業を行うために装置を取り付ける時、需要によって異なる級別の篩い分けブロック４２を選び、篩い分け網４７のメッシュが一番大きい篩い分けブロック４２をベース１０に置き、次の等級の篩い分けブロック４２を現有の篩い分けブロック４２の上側位置に置き、また下側の篩い分けブロック４２の中の差し込み連結ブロック５０が上側の篩い分けブロック４２の中の差し込み連結溝４９の中に伸び、それによって二つの篩い分けブロック４２が安定的に連結され、この時、上側の篩い分けブロック４２の下端が下側の篩い分けブロック４２の中の貫通溝４６の中に伸び、下側の篩い分けブロック４２の中のカム回転軸５６の頂端が上側の篩い分けブロック４２の中のスプラインスリーブ６３とスプラインによって連結され、この時、二つの篩い分けブロック４２の取り付けが完成し、同じの取り付け操作で所要の篩い分けブロック４２を一緒に取り付け、次に、土壌入り口２４から篩い分けられる土壌を押し潰しチャンバ２７の中に詰め、その後、押し潰しブロック２３を一番上側の篩い分けブロック４２の上端に取り付け、伸縮スライドロッド２１と伸縮ロッド１８との間の伸縮作用は固定板２２によって押し潰しブロック２３と篩い分けブロック４２とを安定的に連結でき、この時、固定板２２が土壌入り口２４を密封し、カム回転軸５６がスプライン筒３９とスプラインによって連結された。
【００２９】
土壌を篩い分ける時、モーター３４が作動し、スピンドル３６を駆動して回転させ、それによって親ネジ３１が回転して押し潰し輪３０を回転連動させて土壌を押し潰し、親ネジ３１が回転すると、押し潰し筒２６が前後に移動し、それによって土壌を均等的に全般的に押し潰し、スピンドル３６が回転することによって第六ベベルギヤ４０が回転し、それによってスプライン筒３９がカム回転軸５６を回転連動させ、それによってカム５５が回転し、それによって篩い分け筒４４が前後に移動して土壌を篩い分け、タイミングはめ歯ベルト６１によって全部の篩い分け筒４４が同期且つ高頻度に土壌を篩い分けることができ、篩い分け網４７のメッシュの大きさにマッチする土壌が篩い分け網４７の下側に篩い分けられ、次の篩い分けブロック４２の中の収納皿６６によって収集され、篩い分け網４７のメッシュの大きさにマッチしていない土壌粒が下側の篩い分けチャンバ４５の中に入り、土壌の篩い分け作業を完成するまで再び篩い分けられ、残った土壌は右側の収集皿１２によって収集された。
【００３０】
本発明の有益な効果は：本発明の一つの篩い分けブロックの中の土壌篩い分け装置の構造が同じであり、土壌篩い分け装置の内部の篩い分け網のメッシュの大きさによって篩い分け等級を分け、篩い分けブロックの数の増加と減少とによって、土壌篩い分けの等級と規格とを調節でき、適用範囲は広く、それによって本装置を持つこと又は移動させることが便利であり、また装置にはただ一つのモーターによって各篩い分けブロックを駆動して作動させ、エネルギーを省いて効率的である。
【００３１】
上記の実施例により、当業者は本出願の範囲で作業モードによって各種の変型を行うことができる。